(57)【要約】【課題】認証情報の入力項目数の不足に起因して印刷ジョブの実行が許可されないことを回避することが可能な技術を提供する。【解決手段】印刷出力装置（ＭＦＰ）は、高度認証に代えて簡易認証を許容する許容ユーザ（たとえばユーザＵ１，Ｕ３）について、高度認証における正規の認証情報（高度認証正規情報）全体を、簡易認証における正規の認証情報（簡易認証正規情報）として予め簡易認証情報管理テーブル４００に登録する。その後、簡易認証に用いられる認証情報（簡易認証用情報）が外部端末から印刷ジョブとともに受信されると、当該簡易認証用情報と簡易認証正規情報とに基づき簡易認証が行われる。そして、当該許容ユーザ（ユーザＵ１，Ｕ３）のうちの一のユーザ（たとえばユーザＵ１）に関して簡易認証に成功した旨が判定されると、ＭＦＰは、印刷ジョブの依頼元ユーザは当該一のユーザ（ユーザＵ１）であると判定し、印刷ジョブの実行を許可する。【選択図】図７
2016157334.tif 000002
【特許請求の範囲】
【請求項１】
印刷システムであって、
所定数の項目の情報を認証情報として用いる簡易認証とは異なる種類の認証であって前記所定数の項目よりも多数の項目の情報を認証情報として要する認証である高度認証をユーザに対して要求する印刷出力装置と、
前記印刷出力装置と通信可能な外部端末と、
を備え、
前記印刷出力装置は、
前記印刷出力装置のユーザであって前記高度認証に代えて前記簡易認証を許容するユーザである許容ユーザについて、前記高度認証における正規の認証情報である高度認証正規情報のうち少なくとも前記所定数の項目の情報を、前記簡易認証における正規の認証情報である簡易認証正規情報として前記印刷出力装置に登録する登録手段、
を有し、
前記外部端末は、
前記簡易認証に用いられる認証情報である簡易認証用情報を印刷ジョブとともに前記印刷出力装置に送信する送信手段、
を有し、
前記印刷出力装置は、
前記印刷ジョブと前記簡易認証用情報とを前記外部端末から受信する通信手段と、
前記簡易認証用情報と前記簡易認証正規情報とに基づき前記簡易認証を行う認証処理手段と、
前記許容ユーザのうちの一のユーザに関して前記簡易認証に成功した旨が判定されると、前記印刷ジョブの依頼元ユーザは前記許容ユーザのうちの前記一のユーザである旨を判定し、前記印刷ジョブの実行を許可する判定手段と、
をさらに有することを特徴とする印刷システム。
【請求項２】
請求項１に記載の印刷システムにおいて、
前記印刷出力装置の前記登録手段は、前記許容ユーザの前記高度認証正規情報全体を前記許容ユーザの前記簡易認証正規情報として登録し、
前記印刷出力装置の前記認証処理手段は、前記簡易認証用情報における前記所定数の項目の情報と同じ情報が前記簡易認証正規情報に含まれているか否か、に基づき前記簡易認証を行うことを特徴とする印刷システム。
【請求項３】
請求項１に記載の印刷システムにおいて、
前記印刷出力装置の前記登録手段は、前記許容ユーザの前記高度認証正規情報のうち前記所定数の項目と同じ項目の情報を前記許容ユーザの前記簡易認証正規情報として登録し、
前記印刷出力装置の前記認証処理手段は、前記簡易認証用情報における前記所定数の項目の情報と同じ情報が前記簡易認証正規情報に含まれているか否か、に基づき前記簡易認証を行うことを特徴とする印刷システム。
【請求項４】
請求項１ないし請求項３のいずれかに記載の印刷システムにおいて、
前記印刷出力装置は、
前記印刷出力装置へのユーザのログインを受け付けるログイン受付手段、
をさらに有し、
前記印刷出力装置の前記判定手段は、
前記ユーザによって入力されたログイン情報と前記高度認証正規情報とに基づき、前記印刷出力装置にログイン中のログインユーザを特定するとともに、前記印刷ジョブの前記依頼元ユーザであると判定された前記一のユーザが前記ログインユーザと同じユーザであるか否かを判定し、
前記簡易認証に成功した旨が判定され、且つ前記印刷ジョブの前記依頼元ユーザであると判定された前記一のユーザが前記ログインユーザと同じユーザである旨が判定される場合に、前記印刷ジョブの実行を許可することを特徴とする印刷システム。
【請求項５】
請求項４に記載の印刷システムにおいて、
前記印刷出力装置は、
前記印刷ジョブの前記依頼元ユーザであると判定された前記一のユーザが前記ログインユーザと同じユーザである旨が判定されると、前記印刷ジョブの実行指示を付与したか否かを前記ログインユーザに確認するための確認画面を前記印刷出力装置の表示手段に表示する表示制御手段、
をさらに有し、
前記印刷出力装置の前記判定手段は、前記印刷ジョブの前記実行指示を付与した旨が前記ログインユーザから受け付けられることを条件として、前記印刷ジョブの実行を許可することを特徴とする印刷システム。
【請求項６】
請求項４に記載の印刷システムにおいて、
前記印刷出力装置の前記認証処理手段は、前記印刷ジョブの前記依頼元ユーザであると判定された前記一のユーザが前記ログインユーザと同じユーザである旨が判定された後、前記印刷出力装置の近傍領域内への前記外部端末の近接が検出されると、近距離無線通信を介した認証情報の授受を伴う認証を行い、
前記印刷出力装置の前記判定手段は、前記印刷ジョブの前記依頼元ユーザであると判定された前記一のユーザと、前記近距離無線通信を介した認証情報の授受を伴う前記認証によって特定されたユーザとが同じユーザである旨が判定されることを条件として、前記印刷ジョブの実行を許可することを特徴とする印刷システム。
【請求項７】
所定数の項目の情報を認証情報として用いる簡易認証とは異なる種類の認証であって前記所定数の項目よりも多数の項目の情報を認証情報として要する認証である高度認証をユーザに対して要求し、且つ外部端末と通信可能な印刷出力装置であって、
前記印刷出力装置のユーザであって前記高度認証に代えて前記簡易認証を許容するユーザである許容ユーザについて、前記高度認証における正規の認証情報である高度認証正規情報のうち少なくとも前記所定数の項目の情報を、前記簡易認証における正規の認証情報である簡易認証正規情報として前記印刷出力装置に登録する登録手段と、
前記簡易認証に用いられる認証情報である簡易認証用情報を印刷ジョブとともに前記外部端末から受信する通信手段と、
前記簡易認証用情報と前記簡易認証正規情報とに基づき前記簡易認証を行う認証処理手段と、
前記許容ユーザのうちの一のユーザに関して前記簡易認証に成功した旨が判定されると、前記印刷ジョブの依頼元ユーザは前記許容ユーザのうちの前記一のユーザである旨を判定し、前記印刷ジョブの実行を許可する判定手段と、
を備えることを特徴とする印刷出力装置。
【請求項８】
印刷システムであって、
所定数の項目の情報を認証情報として用いる簡易認証とは異なる種類の認証であって前記所定数の項目よりも多数の項目の情報を認証情報として要する認証である高度認証をユーザに対して要求する印刷出力装置と、
前記印刷出力装置と通信可能な外部端末と、
を備え、
前記印刷出力装置は、
前記印刷出力装置のユーザであって前記簡易認証を許容するユーザである許容ユーザについて、前記高度認証に用いるための認証情報である高度認証用情報であって、前記高度認証における正規の認証情報である高度認証正規情報の項目と同じ項目の情報を有する高度認証用情報を前記印刷出力装置に登録するとともに、前記簡易認証において正規の認証情報として利用する簡易認証正規情報をも前記印刷出力装置に登録する登録手段、
を有し、
前記外部端末は、
前記簡易認証に用いられる認証情報である簡易認証用情報を印刷ジョブとともに前記印刷出力装置に送信する送信手段、
を有し、
前記印刷出力装置は、
前記印刷ジョブと前記簡易認証用情報とを前記外部端末から受信する通信手段と、
前記簡易認証正規情報と前記簡易認証用情報とに基づき前記簡易認証を行うとともに、前記許容ユーザのうちの一のユーザに関して前記簡易認証に成功した旨が判定されると、前記許容ユーザのうちの前記一のユーザに対応する前記高度認証用情報を用いて前記高度認証を行う認証処理手段と、
前記許容ユーザのうちの前記一のユーザに関して前記高度認証に成功した旨が判定されると、前記印刷ジョブの依頼元ユーザは前記許容ユーザのうちの前記一のユーザである旨を判定し、前記印刷ジョブの実行を許可する判定手段と、
をさらに有することを特徴とする印刷システム。
【請求項９】
請求項８に記載の印刷システムにおいて、
前記印刷出力装置の前記登録手段は、前記許容ユーザごとに、前記簡易認証正規情報と前記高度認証用情報とを互いに関連付けて登録することを特徴とする印刷システム。
【請求項１０】
請求項９に記載の印刷システムにおいて、
前記印刷出力装置の前記認証処理手段は、前記一のユーザに関して前記簡易認証に成功した旨が判定されると、前記一のユーザの前記簡易認証正規情報に関連付けられて登録されている前記高度認証用情報を用いて前記高度認証を行うことを特徴とする印刷システム。
【請求項１１】
請求項８に記載の印刷システムにおいて、
前記印刷出力装置の前記登録手段は、前記高度認証に要する複数の項目の情報を有する前記高度認証用情報を登録するとともに、前記高度認証用情報の一部の情報であって前記高度認証用情報のうち前記所定数の項目の情報を前記簡易認証正規情報として登録することを特徴とする印刷システム。
【請求項１２】
請求項１１に記載の印刷システムにおいて、
前記印刷出力装置の前記認証処理手段は、前記簡易認証用情報における前記所定数の項目の情報と同じ情報が前記一のユーザの前記簡易認証正規情報に含まれていることに基づき前記一のユーザに関して前記簡易認証に成功した旨が判定されると、前記一のユーザの前記簡易認証正規情報を包含する前記高度認証用情報を用いて前記高度認証を行うことを特徴とする印刷システム。
【請求項１３】
請求項８ないし請求項１２のいずれかに記載の印刷システムにおいて、
前記印刷出力装置は、
前記印刷出力装置へのユーザのログインを受け付けるログイン受付手段、
をさらに有し、
前記印刷出力装置の前記判定手段は、
前記ユーザによって入力されたログイン情報と前記高度認証正規情報とに基づき、前記印刷出力装置にログイン中のログインユーザを特定するとともに、前記印刷ジョブの前記依頼元ユーザであると判定された前記一のユーザが前記ログインユーザと同じユーザであるか否かを判定し、
前記高度認証に成功した旨が判定され、且つ前記印刷ジョブの依頼元ユーザであると判定された前記一のユーザが前記ログインユーザと同じユーザである旨が判定される場合に、前記印刷ジョブの実行を許可することを特徴とする印刷システム。
【請求項１４】
請求項１３に記載の印刷システムにおいて、
前記印刷出力装置は、
前記印刷ジョブの前記依頼元ユーザであると判定された前記一のユーザが前記ログインユーザと同じユーザである旨が判定されると、前記印刷ジョブの実行指示を付与したか否かを前記ログインユーザに確認するための確認画面を前記印刷出力装置の表示手段に表示する表示制御手段、
をさらに有し、
前記印刷出力装置の前記判定手段は、前記印刷ジョブの前記実行指示を付与した旨が前記ログインユーザから受け付けられることを条件として、前記印刷ジョブの実行を許可することを特徴とする印刷システム。
【請求項１５】
請求項１３に記載の印刷システムにおいて、
前記印刷出力装置の前記認証処理手段は、前記印刷ジョブの前記依頼元ユーザであると判定された前記一のユーザが前記ログインユーザと同じユーザである旨が判定された後、前記印刷出力装置の近傍領域内への前記外部端末の近接が検出されると、近距離無線通信を介した認証情報の授受を伴う認証を行い、
前記印刷出力装置の前記判定手段は、前記印刷ジョブの前記依頼元ユーザであると判定された前記一のユーザと、前記近距離無線通信を介した認証情報の授受を伴う前記認証によって特定されたユーザとが同じユーザである旨が判定されることを条件として、前記印刷ジョブの実行を許可することを特徴とする印刷システム。
【請求項１６】
所定数の項目の情報を認証情報として用いる簡易認証とは異なる種類の認証であって前記所定数の項目よりも多数の項目の情報を認証情報として要する認証である高度認証をユーザに対して要求し、且つ外部端末と通信可能な印刷出力装置であって、
前記印刷出力装置のユーザであって前記簡易認証を許容するユーザである許容ユーザについて、前記高度認証に用いるための認証情報である高度認証用情報であって前記高度認証における正規の認証情報の項目と同じ項目の情報を有する高度認証用情報を前記印刷出力装置に登録するとともに、前記簡易認証において正規の認証情報として利用する簡易認証正規情報をも前記印刷出力装置に登録する登録手段と、
前記簡易認証に用いられる認証情報である簡易認証用情報を印刷ジョブとともに前記外部端末から受信する通信手段と、
前記簡易認証正規情報と前記簡易認証用情報とに基づき前記簡易認証を行うとともに、前記許容ユーザのうちの一のユーザに関して前記簡易認証に成功した旨が判定されると、前記許容ユーザのうちの前記一のユーザに対応する前記高度認証用情報を用いて前記高度認証を行う認証処理手段と、
前記許容ユーザのうちの前記一のユーザに関して前記高度認証に成功した旨が判定されると、前記印刷ジョブの依頼元ユーザは前記許容ユーザのうちの前記一のユーザである旨を判定し、前記印刷ジョブの実行を許可する判定手段と、
を備えることを特徴とする印刷出力装置。
【請求項１７】
印刷システムであって、
所定数の項目の情報を認証情報として用いる簡易認証とは異なる種類の認証であって前記所定数の項目よりも多数の項目の情報を認証情報として要する認証である高度認証をユーザに対して要求する認証サーバと、
印刷出力装置と、
外部端末と、
を備え、
前記認証サーバは、
前記印刷出力装置のユーザであって前記高度認証に代えて前記簡易認証を許容するユーザである許容ユーザについて、前記高度認証における正規の認証情報である高度認証正規情報のうち少なくとも前記所定数の項目の情報を、前記簡易認証における正規の認証情報である簡易認証正規情報として前記認証サーバに登録する登録手段、
を有し、
前記外部端末は、
前記簡易認証に用いられる認証情報である簡易認証用情報を印刷ジョブとともに前記印刷出力装置に送信するジョブ送信手段、
を有し、
前記印刷出力装置は、
前記印刷ジョブと前記簡易認証用情報とを前記外部端末から受信するとともに、前記簡易認証用情報を前記認証サーバに転送する通信手段、
を有し、
前記認証サーバは、
前記簡易認証用情報を前記印刷出力装置から受信する受信手段と、
前記簡易認証用情報と前記簡易認証正規情報とに基づき前記簡易認証を行う認証処理手段と、
前記許容ユーザのうちの一のユーザに関して前記簡易認証に成功した旨が判定されると、前記印刷ジョブの依頼元ユーザは前記許容ユーザのうちの前記一のユーザである旨を判定する第１の判定手段と、
前記簡易認証の認証結果を前記印刷出力装置に送信する認証結果送信手段と、
をさらに有し、
前記印刷出力装置は、
前記簡易認証に成功した旨の認証結果が前記認証サーバから受信されると、前記印刷ジョブの実行を許可する第２の判定手段、
をさらに有することを特徴とする印刷システム。
【請求項１８】
請求項１７に記載の印刷システムにおいて、
前記認証サーバの前記登録手段は、前記許容ユーザの前記高度認証正規情報全体を前記許容ユーザの前記簡易認証正規情報として登録し、
前記認証サーバの前記認証処理手段は、前記簡易認証用情報における前記所定数の項目の情報と同じ情報が前記簡易認証正規情報に含まれているか否か、に基づき前記簡易認証を行うことを特徴とする印刷システム。
【請求項１９】
請求項１７に記載の印刷システムにおいて、
前記認証サーバの前記登録手段は、前記許容ユーザの前記高度認証正規情報のうち前記所定数の項目と同じ項目の情報を前記許容ユーザの前記簡易認証正規情報として登録し、
前記認証サーバの前記認証処理手段は、前記簡易認証用情報における前記所定数の項目の情報と同じ情報が前記簡易認証正規情報に含まれているか否か、に基づき前記簡易認証を行うことを特徴とする印刷システム。
【請求項２０】
請求項１７ないし請求項１９のいずれかに記載の印刷システムにおいて、
前記印刷出力装置は、
前記印刷出力装置へのユーザのログインを受け付けるログイン受付手段、
をさらに有し、
前記印刷出力装置の前記通信手段は、前記ユーザによって入力されたログイン情報を前記認証サーバに送信し、
前記認証サーバの前記第１の判定手段は、前記ログイン情報と前記高度認証正規情報とに基づき、前記印刷出力装置にログイン中のログインユーザを特定するとともに、前記印刷ジョブの前記依頼元ユーザであると判定された前記一のユーザが前記ログインユーザと同じユーザであるか否かを判定し、
前記印刷出力装置の前記第２の判定手段は、前記簡易認証に成功した旨の認証結果が受信され、且つ前記印刷ジョブの前記依頼元ユーザであると判定された前記一のユーザが前記ログインユーザと同じユーザである旨が判定される場合に、前記印刷ジョブの実行を許可することを特徴とする印刷システム。
【請求項２１】
所定数の項目の情報を認証情報として用いる簡易認証とは異なる種類の認証であって前記所定数の項目よりも多数の項目の情報を認証情報として要する認証である高度認証をユーザに対して要求し、且つ印刷出力装置と通信可能な認証サーバであって、
前記印刷出力装置のユーザであって前記高度認証に代えて前記簡易認証を許容するユーザである許容ユーザについて、前記高度認証における正規の認証情報である高度認証正規情報のうち少なくとも前記所定数の項目の情報を、前記簡易認証の正規における認証情報である簡易認証正規情報として前記認証サーバに登録する登録手段と、
前記簡易認証に用いられる認証情報である簡易認証用情報であって、前記印刷出力装置と通信可能な外部端末から前記印刷出力装置へと印刷ジョブとともに送信された簡易認証用情報を、前記印刷出力装置から受信する受信手段と、
前記簡易認証用情報と前記簡易認証正規情報とに基づき前記簡易認証を行う認証処理手段と、
前記許容ユーザのうちの一のユーザに関して前記簡易認証に成功した旨が判定されると、前記印刷ジョブの依頼元ユーザは前記許容ユーザのうちの前記一のユーザである旨を判定する判定手段と、
前記簡易認証の認証結果を、前記簡易認証の成否に基づき前記印刷ジョブの実行許否を判定するための許否判定情報として前記印刷出力装置に送信する送信手段と、
を備えることを特徴とする認証サーバ。
【請求項２２】
印刷システムであって、
所定数の項目の情報を認証情報として用いる簡易認証とは異なる種類の認証であって前記所定数の項目よりも多数の項目の情報を認証情報として要する認証である高度認証をユーザに対して要求する認証サーバと、
印刷出力装置と、
外部端末と、
を備え、
前記認証サーバは、
前記印刷出力装置のユーザであって前記簡易認証を許容するユーザである許容ユーザについて、前記高度認証に用いるための認証情報である高度認証用情報であって、前記高度認証における正規の認証情報である高度認証正規情報の項目と同じ項目の情報を有する高度認証用情報を前記認証サーバに登録するとともに、前記簡易認証において正規の認証情報として利用する簡易認証正規情報をも前記認証サーバに登録する登録手段、
を有し、
前記外部端末は、
前記簡易認証に用いられる認証情報である簡易認証用情報を印刷ジョブとともに前記印刷出力装置に送信するジョブ送信手段、
を有し、
前記印刷出力装置は、
前記印刷ジョブと前記簡易認証用情報とを前記外部端末から受信するとともに、前記簡易認証用情報を前記認証サーバに転送する通信手段、
を有し、
前記認証サーバは、
前記簡易認証用情報を前記印刷出力装置から受信する受信手段と、
前記簡易認証正規情報と前記簡易認証用情報とに基づき前記簡易認証を行うとともに、前記許容ユーザのうちの一のユーザに関して前記簡易認証に成功した旨が判定されると、前記許容ユーザのうちの前記一のユーザに対応する前記高度認証用情報を用いて前記高度認証を行う認証処理手段と、
前記許容ユーザのうちの前記一のユーザに関して前記高度認証に成功した旨が判定されると、前記印刷ジョブの依頼元ユーザは前記許容ユーザのうちの前記一のユーザである旨を判定する第１の判定手段と、
前記高度認証の認証結果を前記印刷出力装置に送信する認証結果送信手段と、
をさらに有し、
前記印刷出力装置は、
前記高度認証に成功した旨の認証結果が前記認証サーバから受信されると、前記印刷ジョブの実行を許可する第２の判定手段、
をさらに有することを特徴とする印刷システム。
【請求項２３】
請求項２２に記載の印刷システムにおいて、
前記認証サーバの前記登録手段は、前記許容ユーザごとに、前記簡易認証正規情報と前記高度認証用情報とを互いに関連付けて登録することを特徴とする印刷システム。
【請求項２４】
請求項２３に記載の印刷システムにおいて、
前記認証サーバの前記認証処理手段は、前記一のユーザに関して前記簡易認証に成功した旨が判定されると、前記一のユーザの前記簡易認証正規情報に関連付けられて登録されている前記高度認証用情報を用いて前記高度認証を行うことを特徴とする印刷システム。
【請求項２５】
請求項２２に記載の印刷システムにおいて、
前記認証サーバの前記登録手段は、前記高度認証に要する複数の項目の情報を有する前記高度認証用情報を登録するとともに、前記高度認証用情報の一部の情報であって前記高度認証用情報のうち前記所定数の項目の情報を前記簡易認証正規情報として登録することを特徴とする印刷システム。
【請求項２６】
請求項２５に記載の印刷システムにおいて、
前記認証サーバの前記認証処理手段は、前記簡易認証用情報における前記所定数の項目の情報と同じ情報が前記一のユーザの前記簡易認証正規情報に含まれていることに基づき前記一のユーザに関して前記簡易認証に成功した旨が判定されると、前記一のユーザの前記簡易認証正規情報を包含する前記高度認証用情報を用いて前記高度認証を行うことを特徴とする印刷システム。
【請求項２７】
請求項２２ないし請求項２６のいずれかに記載の印刷システムにおいて、
前記印刷出力装置は、
前記印刷出力装置へのユーザのログインを受け付けるログイン受付手段、
をさらに有し、
前記印刷出力装置の前記通信手段は、前記ユーザによって入力されたログイン情報を前記認証サーバに送信し、
前記認証サーバの前記第１の判定手段は、前記ログイン情報と前記高度認証正規情報とに基づき、前記印刷出力装置にログイン中のログインユーザを特定するとともに、前記印刷ジョブの前記依頼元ユーザであると判定された前記一のユーザが前記ログインユーザと同じユーザであるか否かを判定し、
前記印刷出力装置の前記第２の判定手段は、前記高度認証に成功した旨の認証結果が受信され、且つ前記印刷ジョブの前記依頼元ユーザであると判定された前記一のユーザが前記ログインユーザと同じユーザである旨が判定される場合に、前記印刷ジョブの実行を許可することを特徴とする印刷システム。
【請求項２８】
所定数の項目の情報を認証情報として用いる簡易認証とは異なる種類の認証であって前記所定数の項目よりも多数の項目の情報を認証情報として要する認証である高度認証をユーザに対して要求し、且つ印刷出力装置と通信可能な認証サーバであって、
前記印刷出力装置のユーザであって前記簡易認証を許容するユーザである許容ユーザについて、前記高度認証に用いるための認証情報である高度認証用情報であって前記高度認証における正規の認証情報の項目と同じ項目の情報を有する高度認証用情報を前記認証サーバに登録するとともに、前記簡易認証において正規の認証情報として利用する簡易認証正規情報をも前記認証サーバに登録する登録手段と、
前記簡易認証に用いられる認証情報である簡易認証用情報であって、前記印刷出力装置と通信可能な外部端末から前記印刷出力装置へと印刷ジョブとともに送信された簡易認証用情報を、前記印刷出力装置から受信する受信手段と、
前記簡易認証正規情報と前記簡易認証用情報とに基づき前記簡易認証を行うとともに、前記許容ユーザのうちの一のユーザに関して前記簡易認証に成功した旨が判定されると、前記許容ユーザのうちの前記一のユーザに対応する前記高度認証用情報を用いて前記高度認証を行う認証処理手段と、
前記許容ユーザのうちの前記一のユーザに関して前記高度認証に成功した旨が判定されると、前記印刷ジョブの依頼元ユーザは前記許容ユーザのうちの前記一のユーザである旨を判定する判定手段と、
前記高度認証の認証結果を、前記高度認証の成否に基づき前記印刷ジョブの実行許否を判定するための許否判定情報として前記印刷出力装置に送信する送信手段と、
を備えることを特徴とする認証サーバ。
【発明の詳細な説明】
【技術分野】
【０００１】
本発明は、ＭＦＰ（マルチ・ファンクション・ペリフェラル（Multi-Functional Peripheral））などの印刷出力装置を備える印刷システム、およびそれに関連する技術に関する。
【背景技術】
【０００２】
認証機能を備えた印刷出力装置が存在する。当該印刷出力装置においては、外部端末を用いたユーザ認証が行われることもある。たとえば、ユーザが外部端末を用いて印刷出力装置を利用する際、印刷出力装置は、当該ユーザに対して所定の項目（たとえばユーザＩＤおよびパスワード）の認証情報を要求し、当該ユーザによって入力された認証情報に基づきユーザ認証を行う。そして、当該ユーザ認証に成功したユーザにのみ、印刷出力装置は、外部端末を用いた印刷出力装置の利用を許可する。
【０００３】
また、認証機能の中には、所定の項目（ユーザＩＤおよびパスワード）のみならず当該所定の項目以外の項目（たとえば部門ＩＤ、部門パスワード等）をも認証情報における入力項目として設定することが可能なものも存在する。このような多様な項目を認証情報として用いた認証機能は、「高度認証」あるいは「拡張認証」などとも表現される。
【０００４】
たとえば、特許文献１においては、ＭＦＰにおけるプリントジョブの実行に際して、ユーザ端末（外部端末）は、認証情報（ユーザＩＤ、ユーザパスワード、部門ＩＤおよび部門パスワード）の入力をユーザに対して要求する。そして、ユーザにより入力された認証情報に基づきユーザ認証が行われ、当該ユーザ認証に成功すると、ＭＦＰは当該プリントジョブの実行を許可する。
【先行技術文献】
【特許文献】
【０００５】
【特許文献１】特開２００６−９３８７５号公報
【発明の概要】
【発明が解決しようとする課題】
【０００６】
しかしながら、全ての外部端末が、高度認証にて要求される認証情報の全ての入力項目を揃えることができるとは限らない。たとえば、外部端末のＯＳ（オペレーティングシステム）の標準印刷機能を実現するプログラムとして格納されている標準印刷ソフトウエアプログラム（標準印刷ソフトウエア）が、当該高度認証にて要求される認証情報の全ての入力項目を揃えることができないこともある。
【０００７】
具体的には、一般に、当該標準印刷ソフトウエアには、ユーザＩＤおよびユーザパスワードが標準項目（入力項目）として準備されているものの、その他の項目（部門ＩＤ、部門パスワード等）は準備されていない。そのため、たとえば高度認証において部門ＩＤおよび部門パスワードもが認証情報の入力項目として要求される場合、当該外部端末のユーザは、標準印刷ソフトウエアを用いて当該部門ＩＤおよび部門パスワードを入力することができない。仮に当該ユーザが、高度認証にてその他の認証情報をも要求する印刷出力装置に対して、標準印刷ソフトウエアを用いて印刷ジョブを送信したとしても、外部端末は、高度認証に要する全ての認証情報を揃えることができない。その結果、印刷出力装置においては、認証情報の入力項目数の不足（部門ＩＤおよび部門パスワードの不足）に起因して高度認証に失敗し、当該印刷出力装置は、外部端末からの印刷ジョブの実行を許可することができない。
【０００８】
このように、外部端末の標準印刷ソフトウエアを用いて印刷ジョブおよび認証用の情報が外部端末から印刷出力装置に送信される場合には、印刷ジョブの送信に際して所要の認証情報が送信されず、印刷出力装置において、高度認証に要する認証情報の入力項目数の不足に起因して高度認証に失敗し、当該印刷ジョブの実行が許可されないことがある。
【０００９】
なお、このような問題は、高度認証が印刷出力装置にて行われる場合に限らず、当該高度認証が認証サーバにて行われる場合にも生じ得る。
【００１０】
そこで、本発明は、認証情報の入力項目数の不足に起因して印刷ジョブの実行が許可されないことを回避することが可能な技術を提供することを課題とする。
【課題を解決するための手段】
【００１１】
上記課題を解決すべく、請求項１の発明は、印刷システムであって、所定数の項目の情報を認証情報として用いる簡易認証とは異なる種類の認証であって前記所定数の項目よりも多数の項目の情報を認証情報として要する認証である高度認証をユーザに対して要求する印刷出力装置と、前記印刷出力装置と通信可能な外部端末と、を備え、前記印刷出力装置は、前記印刷出力装置のユーザであって前記高度認証に代えて前記簡易認証を許容するユーザである許容ユーザについて、前記高度認証における正規の認証情報である高度認証正規情報のうち少なくとも前記所定数の項目の情報を、前記簡易認証における正規の認証情報である簡易認証正規情報として前記印刷出力装置に登録する登録手段、を有し、前記外部端末は、前記簡易認証に用いられる認証情報である簡易認証用情報を印刷ジョブとともに前記印刷出力装置に送信する送信手段、を有し、前記印刷出力装置は、前記印刷ジョブと前記簡易認証用情報とを前記外部端末から受信する通信手段と、前記簡易認証用情報と前記簡易認証正規情報とに基づき前記簡易認証を行う認証処理手段と、前記許容ユーザのうちの一のユーザに関して前記簡易認証に成功した旨が判定されると、前記印刷ジョブの依頼元ユーザは前記許容ユーザのうちの前記一のユーザである旨を判定し、前記印刷ジョブの実行を許可する判定手段と、をさらに有することを特徴とする。
【００１２】
請求項２の発明は、請求項１の発明に係る印刷システムにおいて、前記印刷出力装置の前記登録手段は、前記許容ユーザの前記高度認証正規情報全体を前記許容ユーザの前記簡易認証正規情報として登録し、前記印刷出力装置の前記認証処理手段は、前記簡易認証用情報における前記所定数の項目の情報と同じ情報が前記簡易認証正規情報に含まれているか否か、に基づき前記簡易認証を行うことを特徴とする。
【００１３】
請求項３の発明は、請求項１の発明に係る印刷システムにおいて、前記印刷出力装置の前記登録手段は、前記許容ユーザの前記高度認証正規情報のうち前記所定数の項目と同じ項目の情報を前記許容ユーザの前記簡易認証正規情報として登録し、前記印刷出力装置の前記認証処理手段は、前記簡易認証用情報における前記所定数の項目の情報と同じ情報が前記簡易認証正規情報に含まれているか否か、に基づき前記簡易認証を行うことを特徴とする。
【００１４】
請求項４の発明は、請求項１ないし請求項３のいずれかの発明に係る印刷システムにおいて、前記印刷出力装置は、前記印刷出力装置へのユーザのログインを受け付けるログイン受付手段、をさらに有し、前記印刷出力装置の前記判定手段は、前記ユーザによって入力されたログイン情報と前記高度認証正規情報とに基づき、前記印刷出力装置にログイン中のログインユーザを特定するとともに、前記印刷ジョブの前記依頼元ユーザであると判定された前記一のユーザが前記ログインユーザと同じユーザであるか否かを判定し、前記簡易認証に成功した旨が判定され、且つ前記印刷ジョブの前記依頼元ユーザであると判定された前記一のユーザが前記ログインユーザと同じユーザである旨が判定される場合に、前記印刷ジョブの実行を許可することを特徴とする。
【００１５】
請求項５の発明は、請求項４の発明に係る印刷システムにおいて、前記印刷出力装置は、前記印刷ジョブの前記依頼元ユーザであると判定された前記一のユーザが前記ログインユーザと同じユーザである旨が判定されると、前記印刷ジョブの実行指示を付与したか否かを前記ログインユーザに確認するための確認画面を前記印刷出力装置の表示手段に表示する表示制御手段、をさらに有し、前記印刷出力装置の前記判定手段は、前記印刷ジョブの前記実行指示を付与した旨が前記ログインユーザから受け付けられることを条件として、前記印刷ジョブの実行を許可することを特徴とする。
【００１６】
請求項６の発明は、請求項４の発明に係る印刷システムにおいて、前記印刷出力装置の前記認証処理手段は、前記印刷ジョブの前記依頼元ユーザであると判定された前記一のユーザが前記ログインユーザと同じユーザである旨が判定された後、前記印刷出力装置の近傍領域内への前記外部端末の近接が検出されると、近距離無線通信を介した認証情報の授受を伴う認証を行い、前記印刷出力装置の前記判定手段は、前記印刷ジョブの前記依頼元ユーザであると判定された前記一のユーザと、前記近距離無線通信を介した認証情報の授受を伴う前記認証によって特定されたユーザとが同じユーザである旨が判定されることを条件として、前記印刷ジョブの実行を許可することを特徴とする。
【００１７】
請求項７の発明は、所定数の項目の情報を認証情報として用いる簡易認証とは異なる種類の認証であって前記所定数の項目よりも多数の項目の情報を認証情報として要する認証である高度認証をユーザに対して要求し、且つ外部端末と通信可能な印刷出力装置であって、前記印刷出力装置のユーザであって前記高度認証に代えて前記簡易認証を許容するユーザである許容ユーザについて、前記高度認証における正規の認証情報である高度認証正規情報のうち少なくとも前記所定数の項目の情報を、前記簡易認証における正規の認証情報である簡易認証正規情報として前記印刷出力装置に登録する登録手段と、前記簡易認証に用いられる認証情報である簡易認証用情報を印刷ジョブとともに前記外部端末から受信する通信手段と、前記簡易認証用情報と前記簡易認証正規情報とに基づき前記簡易認証を行う認証処理手段と、前記許容ユーザのうちの一のユーザに関して前記簡易認証に成功した旨が判定されると、前記印刷ジョブの依頼元ユーザは前記許容ユーザのうちの前記一のユーザである旨を判定し、前記印刷ジョブの実行を許可する判定手段と、を備えることを特徴とする。
【００１８】
請求項８の発明は、印刷システムであって、所定数の項目の情報を認証情報として用いる簡易認証とは異なる種類の認証であって前記所定数の項目よりも多数の項目の情報を認証情報として要する認証である高度認証をユーザに対して要求する印刷出力装置と、前記印刷出力装置と通信可能な外部端末と、を備え、前記印刷出力装置は、前記印刷出力装置のユーザであって前記簡易認証を許容するユーザである許容ユーザについて、前記高度認証に用いるための認証情報である高度認証用情報であって、前記高度認証における正規の認証情報である高度認証正規情報の項目と同じ項目の情報を有する高度認証用情報を前記印刷出力装置に登録するとともに、前記簡易認証において正規の認証情報として利用する簡易認証正規情報をも前記印刷出力装置に登録する登録手段、を有し、前記外部端末は、前記簡易認証に用いられる認証情報である簡易認証用情報を印刷ジョブとともに前記印刷出力装置に送信する送信手段、を有し、前記印刷出力装置は、前記印刷ジョブと前記簡易認証用情報とを前記外部端末から受信する通信手段と、前記簡易認証正規情報と前記簡易認証用情報とに基づき前記簡易認証を行うとともに、前記許容ユーザのうちの一のユーザに関して前記簡易認証に成功した旨が判定されると、前記許容ユーザのうちの前記一のユーザに対応する前記高度認証用情報を用いて前記高度認証を行う認証処理手段と、前記許容ユーザのうちの前記一のユーザに関して前記高度認証に成功した旨が判定されると、前記印刷ジョブの依頼元ユーザは前記許容ユーザのうちの前記一のユーザである旨を判定し、前記印刷ジョブの実行を許可する判定手段と、をさらに有することを特徴とする。
【００１９】
請求項９の発明は、請求項８の発明に係る印刷システムにおいて、前記印刷出力装置の前記登録手段は、前記許容ユーザごとに、前記簡易認証正規情報と前記高度認証用情報とを互いに関連付けて登録することを特徴とする。
【００２０】
請求項１０の発明は、請求項９の発明に係る印刷システムにおいて、前記印刷出力装置の前記認証処理手段は、前記一のユーザに関して前記簡易認証に成功した旨が判定されると、前記一のユーザの前記簡易認証正規情報に関連付けられて登録されている前記高度認証用情報を用いて前記高度認証を行うことを特徴とする。
【００２１】
請求項１１の発明は、請求項８の発明に係る印刷システムにおいて、前記印刷出力装置の前記登録手段は、前記高度認証に要する複数の項目の情報を有する前記高度認証用情報を登録するとともに、前記高度認証用情報の一部の情報であって前記高度認証用情報のうち前記所定数の項目の情報を前記簡易認証正規情報として登録することを特徴とする。
【００２２】
請求項１２の発明は、請求項１１の発明に係る印刷システムにおいて、前記印刷出力装置の前記認証処理手段は、前記簡易認証用情報における前記所定数の項目の情報と同じ情報が前記一のユーザの前記簡易認証正規情報に含まれていることに基づき前記一のユーザに関して前記簡易認証に成功した旨が判定されると、前記一のユーザの前記簡易認証正規情報を包含する前記高度認証用情報を用いて前記高度認証を行うことを特徴とする。
【００２３】
請求項１３の発明は、請求項８ないし請求項１２のいずれかの発明に係る印刷システムにおいて、前記印刷出力装置は、前記印刷出力装置へのユーザのログインを受け付けるログイン受付手段、をさらに有し、前記印刷出力装置の前記判定手段は、前記ユーザによって入力されたログイン情報と前記高度認証正規情報とに基づき、前記印刷出力装置にログイン中のログインユーザを特定するとともに、前記印刷ジョブの前記依頼元ユーザであると判定された前記一のユーザが前記ログインユーザと同じユーザであるか否かを判定し、前記高度認証に成功した旨が判定され、且つ前記印刷ジョブの依頼元ユーザであると判定された前記一のユーザが前記ログインユーザと同じユーザである旨が判定される場合に、前記印刷ジョブの実行を許可することを特徴とする。
【００２４】
請求項１４の発明は、請求項１３の発明に係る印刷システムにおいて、前記印刷出力装置は、前記印刷ジョブの前記依頼元ユーザであると判定された前記一のユーザが前記ログインユーザと同じユーザである旨が判定されると、前記印刷ジョブの実行指示を付与したか否かを前記ログインユーザに確認するための確認画面を前記印刷出力装置の表示手段に表示する表示制御手段、をさらに有し、前記印刷出力装置の前記判定手段は、前記印刷ジョブの前記実行指示を付与した旨が前記ログインユーザから受け付けられることを条件として、前記印刷ジョブの実行を許可することを特徴とする。
【００２５】
請求項１５の発明は、請求項１３の発明に係る印刷システムにおいて、前記印刷出力装置の前記認証処理手段は、前記印刷ジョブの前記依頼元ユーザであると判定された前記一のユーザが前記ログインユーザと同じユーザである旨が判定された後、前記印刷出力装置の近傍領域内への前記外部端末の近接が検出されると、近距離無線通信を介した認証情報の授受を伴う認証を行い、前記印刷出力装置の前記判定手段は、前記印刷ジョブの前記依頼元ユーザであると判定された前記一のユーザと、前記近距離無線通信を介した認証情報の授受を伴う前記認証によって特定されたユーザとが同じユーザである旨が判定されることを条件として、前記印刷ジョブの実行を許可することを特徴とする。
【００２６】
請求項１６の発明は、所定数の項目の情報を認証情報として用いる簡易認証とは異なる種類の認証であって前記所定数の項目よりも多数の項目の情報を認証情報として要する認証である高度認証をユーザに対して要求し、且つ外部端末と通信可能な印刷出力装置であって、前記印刷出力装置のユーザであって前記簡易認証を許容するユーザである許容ユーザについて、前記高度認証に用いるための認証情報である高度認証用情報であって前記高度認証における正規の認証情報の項目と同じ項目の情報を有する高度認証用情報を前記印刷出力装置に登録するとともに、前記簡易認証において正規の認証情報として利用する簡易認証正規情報をも前記印刷出力装置に登録する登録手段と、前記簡易認証に用いられる認証情報である簡易認証用情報を印刷ジョブとともに前記外部端末から受信する通信手段と、前記簡易認証正規情報と前記簡易認証用情報とに基づき前記簡易認証を行うとともに、前記許容ユーザのうちの一のユーザに関して前記簡易認証に成功した旨が判定されると、前記許容ユーザのうちの前記一のユーザに対応する前記高度認証用情報を用いて前記高度認証を行う認証処理手段と、前記許容ユーザのうちの前記一のユーザに関して前記高度認証に成功した旨が判定されると、前記印刷ジョブの依頼元ユーザは前記許容ユーザのうちの前記一のユーザである旨を判定し、前記印刷ジョブの実行を許可する判定手段と、を備えることを特徴とする。
【００２７】
請求項１７の発明は、印刷システムであって、所定数の項目の情報を認証情報として用いる簡易認証とは異なる種類の認証であって前記所定数の項目よりも多数の項目の情報を認証情報として要する認証である高度認証をユーザに対して要求する認証サーバと、印刷出力装置と、外部端末と、を備え、前記認証サーバは、前記印刷出力装置のユーザであって前記高度認証に代えて前記簡易認証を許容するユーザである許容ユーザについて、前記高度認証における正規の認証情報である高度認証正規情報のうち少なくとも前記所定数の項目の情報を、前記簡易認証における正規の認証情報である簡易認証正規情報として前記認証サーバに登録する登録手段、を有し、前記外部端末は、前記簡易認証に用いられる認証情報である簡易認証用情報を印刷ジョブとともに前記印刷出力装置に送信するジョブ送信手段、を有し、前記印刷出力装置は、前記印刷ジョブと前記簡易認証用情報とを前記外部端末から受信するとともに、前記簡易認証用情報を前記認証サーバに転送する通信手段、を有し、前記認証サーバは、前記簡易認証用情報を前記印刷出力装置から受信する受信手段と、前記簡易認証用情報と前記簡易認証正規情報とに基づき前記簡易認証を行う認証処理手段と、前記許容ユーザのうちの一のユーザに関して前記簡易認証に成功した旨が判定されると、前記印刷ジョブの依頼元ユーザは前記許容ユーザのうちの前記一のユーザである旨を判定する第１の判定手段と、前記簡易認証の認証結果を前記印刷出力装置に送信する認証結果送信手段と、をさらに有し、前記印刷出力装置は、前記簡易認証に成功した旨の認証結果が前記認証サーバから受信されると、前記印刷ジョブの実行を許可する第２の判定手段、をさらに有することを特徴とする。
【００２８】
請求項１８の発明は、請求項１７の発明に係る印刷システムにおいて、前記認証サーバの前記登録手段は、前記許容ユーザの前記高度認証正規情報全体を前記許容ユーザの前記簡易認証正規情報として登録し、前記認証サーバの前記認証処理手段は、前記簡易認証用情報における前記所定数の項目の情報と同じ情報が前記簡易認証正規情報に含まれているか否か、に基づき前記簡易認証を行うことを特徴とする。
【００２９】
請求項１９の発明は、請求項１７の発明に係る印刷システムにおいて、前記認証サーバの前記登録手段は、前記許容ユーザの前記高度認証正規情報のうち前記所定数の項目と同じ項目の情報を前記許容ユーザの前記簡易認証正規情報として登録し、前記認証サーバの前記認証処理手段は、前記簡易認証用情報における前記所定数の項目の情報と同じ情報が前記簡易認証正規情報に含まれているか否か、に基づき前記簡易認証を行うことを特徴とする。
【００３０】
請求項２０の発明は、請求項１７ないし請求項１９のいずれかの発明に係る印刷システムにおいて、前記印刷出力装置は、前記印刷出力装置へのユーザのログインを受け付けるログイン受付手段、をさらに有し、前記印刷出力装置の前記通信手段は、前記ユーザによって入力されたログイン情報を前記認証サーバに送信し、前記認証サーバの前記第１の判定手段は、前記ログイン情報と前記高度認証正規情報とに基づき、前記印刷出力装置にログイン中のログインユーザを特定するとともに、前記印刷ジョブの前記依頼元ユーザであると判定された前記一のユーザが前記ログインユーザと同じユーザであるか否かを判定し、前記印刷出力装置の前記第２の判定手段は、前記簡易認証に成功した旨の認証結果が受信され、且つ前記印刷ジョブの前記依頼元ユーザであると判定された前記一のユーザが前記ログインユーザと同じユーザである旨が判定される場合に、前記印刷ジョブの実行を許可することを特徴とする。
【００３１】
請求項２１の発明は、所定数の項目の情報を認証情報として用いる簡易認証とは異なる種類の認証であって前記所定数の項目よりも多数の項目の情報を認証情報として要する認証である高度認証をユーザに対して要求し、且つ印刷出力装置と通信可能な認証サーバであって、前記印刷出力装置のユーザであって前記高度認証に代えて前記簡易認証を許容するユーザである許容ユーザについて、前記高度認証における正規の認証情報である高度認証正規情報のうち少なくとも前記所定数の項目の情報を、前記簡易認証の正規における認証情報である簡易認証正規情報として前記認証サーバに登録する登録手段と、前記簡易認証に用いられる認証情報である簡易認証用情報であって、前記印刷出力装置と通信可能な外部端末から前記印刷出力装置へと印刷ジョブとともに送信された簡易認証用情報を、前記印刷出力装置から受信する受信手段と、前記簡易認証用情報と前記簡易認証正規情報とに基づき前記簡易認証を行う認証処理手段と、前記許容ユーザのうちの一のユーザに関して前記簡易認証に成功した旨が判定されると、前記印刷ジョブの依頼元ユーザは前記許容ユーザのうちの前記一のユーザである旨を判定する判定手段と、前記簡易認証の認証結果を、前記簡易認証の成否に基づき前記印刷ジョブの実行許否を判定するための許否判定情報として前記印刷出力装置に送信する送信手段と、を備えることを特徴とする。
【００３２】
請求項２２の発明は、印刷システムであって、所定数の項目の情報を認証情報として用いる簡易認証とは異なる種類の認証であって前記所定数の項目よりも多数の項目の情報を認証情報として要する認証である高度認証をユーザに対して要求する認証サーバと、印刷出力装置と、外部端末と、を備え、前記認証サーバは、前記印刷出力装置のユーザであって前記簡易認証を許容するユーザである許容ユーザについて、前記高度認証に用いるための認証情報である高度認証用情報であって、前記高度認証における正規の認証情報である高度認証正規情報の項目と同じ項目の情報を有する高度認証用情報を前記認証サーバに登録するとともに、前記簡易認証において正規の認証情報として利用する簡易認証正規情報をも前記認証サーバに登録する登録手段、を有し、前記外部端末は、前記簡易認証に用いられる認証情報である簡易認証用情報を印刷ジョブとともに前記印刷出力装置に送信するジョブ送信手段、を有し、前記印刷出力装置は、前記印刷ジョブと前記簡易認証用情報とを前記外部端末から受信するとともに、前記簡易認証用情報を前記認証サーバに転送する通信手段、を有し、前記認証サーバは、前記簡易認証用情報を前記印刷出力装置から受信する受信手段と、前記簡易認証正規情報と前記簡易認証用情報とに基づき前記簡易認証を行うとともに、前記許容ユーザのうちの一のユーザに関して前記簡易認証に成功した旨が判定されると、前記許容ユーザのうちの前記一のユーザに対応する前記高度認証用情報を用いて前記高度認証を行う認証処理手段と、前記許容ユーザのうちの前記一のユーザに関して前記高度認証に成功した旨が判定されると、前記印刷ジョブの依頼元ユーザは前記許容ユーザのうちの前記一のユーザである旨を判定する第１の判定手段と、前記高度認証の認証結果を前記印刷出力装置に送信する認証結果送信手段と、をさらに有し、前記印刷出力装置は、前記高度認証に成功した旨の認証結果が前記認証サーバから受信されると、前記印刷ジョブの実行を許可する第２の判定手段、をさらに有することを特徴とする。
【００３３】
請求項２３の発明は、請求項２２の発明に係る印刷システムにおいて、前記認証サーバの前記登録手段は、前記許容ユーザごとに、前記簡易認証正規情報と前記高度認証用情報とを互いに関連付けて登録することを特徴とする。
【００３４】
請求項２４の発明は、請求項２３の発明に係る印刷システムにおいて、前記認証サーバの前記認証処理手段は、前記一のユーザに関して前記簡易認証に成功した旨が判定されると、前記一のユーザの前記簡易認証正規情報に関連付けられて登録されている前記高度認証用情報を用いて前記高度認証を行うことを特徴とする。
【００３５】
請求項２５の発明は、請求項２２の発明に係る印刷システムにおいて、前記認証サーバの前記登録手段は、前記高度認証に要する複数の項目の情報を有する前記高度認証用情報を登録するとともに、前記高度認証用情報の一部の情報であって前記高度認証用情報のうち前記所定数の項目の情報を前記簡易認証正規情報として登録することを特徴とする。
【００３６】
請求項２６の発明は、請求項２５の発明に係る印刷システムにおいて、前記認証サーバの前記認証処理手段は、前記簡易認証用情報における前記所定数の項目の情報と同じ情報が前記一のユーザの前記簡易認証正規情報に含まれていることに基づき前記一のユーザに関して前記簡易認証に成功した旨が判定されると、前記一のユーザの前記簡易認証正規情報を包含する前記高度認証用情報を用いて前記高度認証を行うことを特徴とする。
【００３７】
請求項２７の発明は、請求項２２ないし請求項２６のいずれかの発明に係る印刷システムにおいて、前記印刷出力装置は、前記印刷出力装置へのユーザのログインを受け付けるログイン受付手段、をさらに有し、前記印刷出力装置の前記通信手段は、前記ユーザによって入力されたログイン情報を前記認証サーバに送信し、前記認証サーバの前記第１の判定手段は、前記ログイン情報と前記高度認証正規情報とに基づき、前記印刷出力装置にログイン中のログインユーザを特定するとともに、前記印刷ジョブの前記依頼元ユーザであると判定された前記一のユーザが前記ログインユーザと同じユーザであるか否かを判定し、前記印刷出力装置の前記第２の判定手段は、前記高度認証に成功した旨の認証結果が受信され、且つ前記印刷ジョブの前記依頼元ユーザであると判定された前記一のユーザが前記ログインユーザと同じユーザである旨が判定される場合に、前記印刷ジョブの実行を許可することを特徴とする。
【００３８】
請求項２８の発明は、所定数の項目の情報を認証情報として用いる簡易認証とは異なる種類の認証であって前記所定数の項目よりも多数の項目の情報を認証情報として要する認証である高度認証をユーザに対して要求し、且つ印刷出力装置と通信可能な認証サーバであって、前記印刷出力装置のユーザであって前記簡易認証を許容するユーザである許容ユーザについて、前記高度認証に用いるための認証情報である高度認証用情報であって前記高度認証における正規の認証情報の項目と同じ項目の情報を有する高度認証用情報を前記認証サーバに登録するとともに、前記簡易認証において正規の認証情報として利用する簡易認証正規情報をも前記認証サーバに登録する登録手段と、前記簡易認証に用いられる認証情報である簡易認証用情報であって、前記印刷出力装置と通信可能な外部端末から前記印刷出力装置へと印刷ジョブとともに送信された簡易認証用情報を、前記印刷出力装置から受信する受信手段と、前記簡易認証正規情報と前記簡易認証用情報とに基づき前記簡易認証を行うとともに、前記許容ユーザのうちの一のユーザに関して前記簡易認証に成功した旨が判定されると、前記許容ユーザのうちの前記一のユーザに対応する前記高度認証用情報を用いて前記高度認証を行う認証処理手段と、前記許容ユーザのうちの前記一のユーザに関して前記高度認証に成功した旨が判定されると、前記印刷ジョブの依頼元ユーザは前記許容ユーザのうちの前記一のユーザである旨を判定する判定手段と、前記高度認証の認証結果を、前記高度認証の成否に基づき前記印刷ジョブの実行許否を判定するための許否判定情報として前記印刷出力装置に送信する送信手段と、を備えることを特徴とする。
【発明の効果】
【００３９】
請求項１ないし請求項２８に記載の発明によれば、認証情報の入力項目数の不足に起因して印刷ジョブの実行が許可されないことを回避することが可能である。
【図面の簡単な説明】
【００４０】
【図１】印刷システムを示す図である。
【図２】印刷出力装置（ＭＦＰ）の機能ブロックを示す図である。
【図３】外部端末の概略構成を示す機能ブロック図である。
【図４】ＭＦＰの動作を示すフローチャートである。
【図５】高度認証情報管理テーブルを示す図である。
【図６】簡易認証情報管理テーブルを示す図である。
【図７】各種の認証情報を概念的に示す図である。
【図８】ログイン画面を示す図である。
【図９】簡易認証許可画面を示す図である。
【図１０】第１実施形態の変形例に係る各種の認証情報を概念的に示す図である。
【図１１】第２実施形態に係る各種の認証情報を概念的に示す図である。
【図１２】簡易認証情報入力画面を示す図である。
【図１３】第２実施形態に係るＭＦＰの動作を示すフローチャートである。
【図１４】第３実施形態に係る各種の認証情報を概念的に示す図である。
【図１５】第４実施形態に係るＭＦＰの動作を示すフローチャートである。
【図１６】第５実施形態に係る印刷システムを示す図である。
【図１７】認証サーバの機能ブロックを示す図である。
【図１８】認証サーバの動作を示すフローチャートである。
【図１９】変形例に係る高度認証情報管理テーブルを示す図である。
【図２０】確認画面を示す図である。
【図２１】認証依頼画面を示す図である。
【発明を実施するための形態】
【００４１】
以下、本発明の実施形態を図面に基づいて説明する。
【００４２】
＜１．第１実施形態＞
＜１−１．構成概要＞
図１は、本発明に係る印刷システム（プリントシステム）１（１Ａ）を示す図である。図１に示すように、印刷システム１（１Ａ）は、印刷出力装置１０と外部端末５０とを備える。
【００４３】
この印刷システム１（１Ａ）では、印刷出力装置１０は、外部端末からの印刷ジョブの受信に際して、印刷出力装置１０のユーザに対して高度認証を要求し、当該高度認証に成功したユーザに対してのみ、外部端末からの当該印刷ジョブの実行を許可する。具体的には、印刷出力装置１０は、４つの入力項目（ユーザＩＤ、ユーザパスワード、部門ＩＤおよび部門パスワード）の情報を高度認証に用いる認証情報（高度認証用情報）としてユーザに対して要求する。印刷出力装置１０には、印刷出力装置１０を利用する複数のユーザについて、高度認証における正規の認証情報（高度認証正規情報）（ユーザＩＤ、ユーザパスワード、部門ＩＤおよび部門パスワード）が高度認証情報管理テーブル３００（３０１）（図５参照）に予め登録されている。印刷出力装置１０は、ユーザによって入力された高度認証用情報を外部端末から印刷ジョブとともに受信すると、当該高度認証用情報と高度認証正規情報とを照合する。そして、当該高度認証用情報に合致する高度認証正規情報が高度認証情報管理テーブル３００（３０１）に存在する場合、印刷出力装置１０は、高度認証に成功した旨を判定し、外部端末からの印刷ジョブの実行を許可する。
【００４４】
印刷出力装置１０と外部端末５０とは、ネットワーク（通信ネットワーク）１０８を介して互いに接続される。ネットワーク１０８は、ＬＡＮ（Local Area Network）およびインターネットなどによって構成される。印刷出力装置１０および外部端末５０はネットワーク１０８に対して有線接続されてもよく、或いは無線ＬＡＮなどにより無線接続されてもよい。
【００４５】
＜１−２．印刷出力装置の構成＞
図２は、印刷出力装置１０の機能ブロックを示す図である。ここでは、印刷出力装置１０として、ＭＦＰ（マルチ・ファンクション・ペリフェラル（Multi-Functional Peripheral））を例示する。
【００４６】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ（制御部）９等を備えており、これらの各部を複合的に動作させることによって、各種の機能を実現する。
【００４７】
画像読取部２は、ＭＦＰ１０の所定の位置に載置された原稿を光学的に読み取って（すなわちスキャンして）、当該原稿の画像データ（原稿画像ないしスキャン画像とも称する）を生成する処理部である。この画像読取部２は、スキャン部とも称される。
【００４８】
印刷出力部３は、ジョブ制御部１７（後述）と協働して、印刷対象に関するデータに基づいて紙などの各種の媒体に画像を印刷出力する出力部である。この印刷出力部３は、ジョブ実行部などとも表現される。
【００４９】
通信部４は、公衆回線等を介したファクシミリ通信を行うことが可能な処理部である。さらに、通信部４は、ネットワーク１０８を介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先（外部端末５０等）と連携して各種のデータを授受することが可能である。通信部４は、各種データを送信する送信部４ａと各種データを受信する受信部４ｂとを有する。
【００５０】
格納部５は、ハードディスクドライブ（ＨＤＤ）等の記憶装置で構成される。
【００５１】
格納部５は、高度認証情報管理テーブル３００（３０１）（図５参照）を有している。この高度認証情報管理テーブル３００（３０１）には、ＭＦＰ１０を利用する複数のユーザ（ここではユーザＵ１〜Ｕ１０）のそれぞれについて、高度認証における正規の認証情報（高度認証正規情報）が登録（格納）されている。ここでは、図５に示すように、４つの項目（ユーザＩＤ、ユーザパスワード、部門ＩＤおよび部門パスワード）に関する情報が高度認証正規情報として登録されている。
【００５２】
また、格納部５は、簡易認証情報管理テーブル４００（４０１）（図６参照）を、高度認証情報管理テーブル３００（３０１）とは別個に有している。この簡易認証情報管理テーブル４００（４０１）には、当該複数のユーザのうち高度認証に代えて簡易認証（後述）を許容する許容ユーザについて、高度認証正規情報全体が、簡易認証における正規の認証情報（簡易認証正規情報）として登録されている。ここでは、図６に示すように、複数ユーザ（ユーザＵ１〜Ｕ１０）の高度認証正規情報（ユーザＩＤ、ユーザパスワード、部門ＩＤおよび部門パスワード）のうち許容ユーザ（たとえばユーザＵ１，Ｕ３）の高度認証正規情報全体が、当該許容ユーザ（ユーザＵ１，Ｕ３）の簡易認証正規情報として登録されている。
【００５３】
操作部６は、ＭＦＰ１０に対する操作入力を受け付ける操作入力部６ａと、各種情報の表示出力を行う表示部６ｂとを備えている。
【００５４】
このＭＦＰ１０においては、略板状の操作パネル部６ｃ（図１参照）が設けられている。また、操作パネル部６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに各種センサ等が埋め込まれて構成され、各種情報を表示するとともに操作者からの各種の操作入力を受け付けることが可能である。
【００５５】
コントローラ（制御部）９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体を介してＭＦＰ１０にインストールされてもよく、あるいはネットワーク１０８等を介してＭＦＰ１０にインストールされてもよい。
【００５６】
具体的には、図２に示すように、コントローラ９は、当該プログラムの実行により、通信制御部１１と入力制御部１２と表示制御部１３と登録部１４と認証処理部１５と判定部１６とジョブ制御部１７とを含む各種の処理部を実現する。
【００５７】
通信制御部１１は、他の装置（外部端末５０等）との間の通信動作を通信部４等と協働して制御する処理部である。
【００５８】
入力制御部１２は、操作入力部６ａに対するユーザからの操作入力の受付動作等を制御する処理部である。
【００５９】
表示制御部１３は、表示部６ｂにおける表示動作を制御する処理部である。表示制御部１３は、たとえば、ＭＦＰ１０を操作するための操作画面をタッチパネル２５に表示させる。
【００６０】
登録部１４は、ＭＦＰ１０の複数のユーザの高度認証正規情報のうち簡易認証を許容する許容ユーザの高度認証正規情報（高度認証における正規の認証情報）を、当該許容ユーザの簡易認証正規情報（簡易認証（後述）における正規の認証情報）として簡易認証情報管理テーブル４００に登録する動作等を制御する処理部である。
【００６１】
認証処理部１５は、各種の認証処理を実行する動作等を制御する処理部である。たとえば、認証処理部１５は、外部端末５０から受信された簡易認証用情報（簡易認証に用いられる認証情報）と簡易認証情報管理テーブル４００（４０１）に登録されている簡易認証正規情報（ここでは高度認証正規情報全体）とに基づき簡易認証を行う。
【００６２】
判定部１６は、外部端末５０からの印刷ジョブの実行許否を判定する動作等を制御する処理部である。具体的には、判定部１６は、許容ユーザ（ここではユーザＵ１，Ｕ３）のうちの一のユーザ（たとえばユーザＵ１）に関して簡易認証に成功した旨が判定されると、当該印刷ジョブの依頼元ユーザは当該ユーザＵ１であると判定し、外部端末５０からの当該印刷ジョブの実行を許可する。
【００６３】
ジョブ制御部１７は、外部端末５０から受信された印刷ジョブを（一旦）スプールするとともに、当該印刷ジョブの実行が許可されると、印刷出力部３と協働し、スプールされていた当該印刷ジョブの実行動作を制御する処理部である。
【００６４】
＜１−３．外部端末の構成＞
次に外部端末５０の構成について説明する。外部端末５０は、ＭＦＰ１０による印刷出力を制御する装置であることから、印刷制御装置などとも称される。
【００６５】
外部端末５０は、ＭＦＰ１０との間でのネットワーク通信が可能な情報入出力端末装置（情報端末あるいは通信端末とも称される）である。ここでは、外部端末５０として、タブレット型端末を例示する。ただし、これに限定されず、外部端末５０は、スマートフォンであってもよく、あるいはパーソナルコンピュータなどであってもよい。また、外部端末５０は、携帯式の装置（携帯情報端末等）（携帯端末）であってもよく、あるいは、据置型の装置であってもよい。
【００６６】
図３は外部端末５０の概略構成を示す機能ブロック図である。
【００６７】
外部端末５０は、図３の機能ブロック図に示すように、通信部５４、格納部５５、操作部５６およびコントローラ（制御部）５９等を備えており、これらの各部を複合的に動作させることによって、各種の機能を実現する。
【００６８】
通信部５４は、ネットワーク１０８を介したネットワーク通信を行うことが可能である。このネットワーク通信では、たとえば、ＴＣＰ／ＩＰ（Transmission Control Protocol / Internet Protocol）等の各種のプロトコルが利用される。当該ネットワーク通信を利用することによって、外部端末５０は、所望の相手先（ＭＦＰ１０等）と連携して各種のデータを授受することが可能である。通信部５４は、各種データを送信する送信部５４ａと各種データを受信する受信部５４ｂとを有する。
【００６９】
格納部５５は、不揮発性の半導体メモリ等の記憶装置で構成され、各種の情報を格納する。
【００７０】
操作部５６は、外部端末５０に対する操作入力を受け付ける操作入力部５６ａと、各種情報の表示出力を行う表示部５６ｂとを備えている。この外部端末５０においては、液晶表示パネルに各種センサ等が埋め込まれて構成されたタッチパネル７５（図１参照）が設けられている。具体的には、図１に示すように、略板状の外部端末５０の正面側において、その周縁部（枠部）を除くほぼ全面にわたってタッチパネル７５が設けられている。換言すれば、タッチパネル７５は、操作入力部５６ａの一部としても機能するとともに、表示部５６ｂの一部としても機能する。
【００７１】
コントローラ（制御部）５９は、外部端末５０に内蔵され、外部端末５０を統括的に制御する制御装置である。コントローラ５９は、ＣＰＵおよび各種の半導体メモリ（ＲＡＭおよびＲＯＭ）等を備えるコンピュータシステムとして構成される。コントローラ５９は、ＣＰＵにおいて、記憶部（半導体メモリ等）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体を介して外部端末５０にインストールされてもよく、あるいはネットワーク１０８等を介して外部端末５０にインストールされるようにしてもよい。
【００７２】
外部端末５０には、外部端末５０のＯＳ（オペレーティングシステム）の標準印刷機能を実現するプログラムとして標準印刷ソフトウエアプログラム（標準印刷ソフトウエア）が格納されている。当該標準印刷ソフトウエアは、印刷ジョブを生成する機能を有するとともに、生成された印刷ジョブを通信制御部６１と協働してＭＦＰ１０に送信する機能を有する。当該標準印刷ソフトウエアには、２つの項目（ユーザＩＤおよびユーザパスワード）が標準項目（入力項目）として準備されており、外部端末５０は、当該標準項目に関する情報を認証情報（標準認証用情報）として用いた認証（「標準認証」とも称される）をＭＦＰと連携して行うことができる。この標準認証用情報は、ＭＦＰ１０にて行われる簡易認証（後述）における認証用の情報（簡易認証用情報）として利用される。
【００７３】
なお、外部端末５０には、「高度認証」を伴う印刷をＭＦＰ１０と連携して実行するためのアプリケーションソフトウエア（高度認証アプリケーション）はインストールされていない。そのため、外部端末５０は、ＭＦＰ１０にて行われる高度認証に要する認証情報の全ての入力項目を揃えることができず、当該高度認証に要する全ての情報を印刷ジョブとともにＭＦＰ１０に送信することができない。
【００７４】
コントローラ５９は、各種プログラムの実行により、通信制御部６１と入力制御部６２と表示制御部６３とを含む各種の処理部を実現する。
【００７５】
通信制御部６１は、通信部５４等と協働して、ＭＦＰ１０等との通信動作を制御する処理部である。
【００７６】
入力制御部６２は、操作入力部５６ａ（タッチパネル７５等）に対するユーザからの操作入力の受付動作等を制御する制御部である。
【００７７】
表示制御部６３は、表示部５６ｂ（タッチパネル７５等）における表示動作を制御する処理部である。表示制御部６３は、たとえば、ＭＦＰ１０との連携処理を行うための操作画面をタッチパネル７５に表示する。
【００７８】
＜１−４．動作＞
この印刷システム１（１Ａ）には、「高度認証」と「簡易認証」との２種類の認証方式が存在する。
【００７９】
「高度認証」は、比較的多数の項目の情報を認証情報として用いる比較的高度な認証方式である。この実施形態のＭＦＰ１０においては、「高度認証」が基本的に利用される。高度認証においては、簡易認証における項目数（ここでは２つ）よりも多数の項目数の項目（ここでは４つの項目（ユーザＩＤ、ユーザパスワード、部門ＩＤおよび部門パスワード））の情報が認証情報（高度認証情報）として用いられる。ＭＦＰ１０は、高度認証に用いられる認証情報（高度認証用情報）を外部端末から印刷ジョブとともに受信すると、当該高度認証用情報と、高度認証情報管理テーブル３００（３０１）に登録されている高度認証正規情報とを照合して高度認証を行う。そして、ＭＦＰ１０は、高度認証に成功すると、外部端末からの当該印刷ジョブの実行を許可する。ただし、この実施形態の外部端末５０には高度認証アプリケーションがインストールされておらず、当該外部端末５０は、高度認証用情報を印刷ジョブとともにＭＦＰ１０に送信することができない。
【００８０】
一方、「簡易認証」は、簡易認証を許容するユーザ（許容ユーザ）に対して（例外的に）行われる簡易的な認証方式である。当該簡易認証においては、所定数の項目（ここでは２つの項目（ユーザＩＤおよびユーザパスワード））に関する情報が認証情報として用いられる。ＭＦＰ１０は、後述のように、簡易認証用情報を外部端末５０から印刷ジョブとともに受信すると、当該簡易認証用情報を用いて簡易認証を行う。そして、ＭＦＰ１０は、許容ユーザのうちの一のユーザに関して簡易認証に成功すると、（高度認証を行うことなく）当該印刷ジョブの実行を許可する。
【００８１】
以下では、ＭＦＰ１０において、簡易認証を許容するユーザ（許容ユーザ）に対して「簡易認証」が行われる態様について主に説明する。
【００８２】
図７は、各種の認証情報を概念的に示す図である。具体的には、高度認証に代えて簡易認証を許容する許容ユーザ（ここではユーザＵ１，Ｕ３）について、高度認証における正規の認証情報（高度認証正規情報）全体が、簡易認証における正規の認証情報（簡易認証正規情報）として簡易認証情報管理テーブル４００（４０１）に予め登録される。その後、簡易認証に用いられる認証情報（簡易認証用情報）が外部端末５０から印刷ジョブとともに受信されると、当該許容ユーザ（ユーザＵ１，Ｕ３）の簡易認証正規情報と外部端末５０からの当該簡易認証用情報とに基づき簡易認証が行われる。そして、当該許容ユーザのうちの一のユーザ（たとえばユーザＵ１）に関して簡易認証に成功した旨が判定されると、外部端末５０からの印刷ジョブの依頼元ユーザは当該ユーザＵ１であると判定され、当該印刷ジョブの実行が許可される。
【００８３】
＜簡易認証情報管理テーブルへの簡易認証正規情報の登録等＞
まず、外部端末５０からの印刷ジョブの受信に先立って、ＭＦＰ１０（登録部１４）は、許容ユーザ（たとえばユーザＵ１，Ｕ３）について、当該許容ユーザの高度認証正規情報全体を簡易認証正規情報として簡易認証情報管理テーブル４００（４０１）（図６参照）に登録する。以下では、ユーザＵ１の高度認証正規情報全体が簡易認証正規情報として簡易認証情報管理テーブル４０１に登録される様子について説明する。
【００８４】
具体的には、ユーザ（ユーザＵ１）は、自身の外部端末５０（高度認証アプリケーションがインストールされていない外部端末５０）を利用した簡易認証を行う前に、ＭＦＰ１０のタッチパネル２５を用いてＭＦＰ１０に直接ログインする。そして、当該ユーザＵ１は、タッチパネル２５を操作して、簡易認証を行うことを許可するための設定を予め行う。当該設定が行われると、当該ユーザＵ１の高度認証正規情報全体が、当該ユーザＵ１の簡易認証正規情報としてＭＦＰ１０に登録される。
【００８５】
より詳細には、当該ユーザ（ユーザＵ１）によるＭＦＰ１０のログインに際して、ログイン画面２０１（図８参照）がＭＦＰ１０のタッチパネル２５に表示される。図８に示すように、当該ログイン画面２０１には、４つの入力項目（ユーザＩＤ、ユーザパスワード、部門ＩＤおよび部門パスワード）が表示されている。ユーザ（ユーザＵ１）は、当該ログイン画面２０１に対する操作入力によって、当該４つの入力項目にログイン情報（高度認証用情報）を入力し、ログインボタン２１１を押下する。ログインボタン２１１が押下されると、ＭＦＰ１０は、ユーザＵ１によって入力された当該ログイン情報（高度認証用情報）と、高度認証情報管理テーブル３００（３０１）（図５参照）に予め登録されている高度認証正規情報とを照合し、ログイン認証を行う。そして、当該ログイン認証に成功すると、ＭＦＰ１０は、ユーザＵ１をログインユーザとして特定し、当該ユーザＵ１によるＭＦＰ１０へのログインを許可する（受け付ける）。
【００８６】
その後、いくつかの画面遷移を経て、簡易認証許可画面２０２（図９参照）がＭＦＰ１０のタッチパネル２５に表示される。当該簡易認証許可画面２０２は、簡易認証を行うことを許可するための画面である。たとえば、「はい」ボタン２２１が押下されると、ユーザＵ１に対して（例外的に）簡易認証を行うことが許可される。換言すれば、高度認証におけるユーザＵ１の正規の認証情報（高度認証正規情報）を簡易認証において利用することが許容される。
【００８７】
ユーザＵ１に対して簡易認証が許容されると、ＭＦＰ１０（登録部１４）は、ユーザＵ１の高度認証正規情報全体を、当該ユーザＵ１の簡易認証正規情報として簡易認証情報管理テーブル４００（４０１）に登録する。具体的には、高度認証情報管理テーブル３０１（図５参照）に格納されている複数ユーザ（ユーザＵ１〜Ｕ１０）の高度認証正規情報の中からユーザＵ１の高度認証正規情報が取得される。そして、取得されたユーザＵ１の高度認証正規情報の全部の情報が、当該ユーザＵ１の簡易認証正規情報として簡易認証情報管理テーブル４００（４０１）に（自動的に）登録される（図７も参照）。
【００８８】
このようにして、許容ユーザ（ユーザＵ１）について、当該許容ユーザの高度認証正規情報全体が、当該許容ユーザの簡易認証正規情報として簡易認証情報管理テーブル４００（４０１）に予め登録され、簡易認証の許可設定が完了する。なお、ここでは、図６に示すように、許容ユーザＵ１，Ｕ３の各高度認証正規情報全体が、各許容ユーザＵ１，Ｕ３の簡易認証正規情報として簡易認証情報管理テーブル４００（４０１）に予め登録されている。
【００８９】
以上のようにして簡易認証の許可設定が行われた後、ユーザ（たとえばユーザＵ１）は、外部端末５０を用いてＭＦＰ１０に対する印刷ジョブの送信等を行う。その際には、高度認証に代えて簡易認証が行われ得る。
【００９０】
＜簡易認証等＞
つぎに、印刷ジョブおよび簡易認証用情報の受信に際してＭＦＰ１０にて行われる簡易認証等について説明する。
【００９１】
外部端末５０においてユーザ（ユーザＵ１）によって印刷ジョブの実行指示が付与されると、外部端末５０は、当該印刷ジョブおよび簡易認証用情報を標準印刷ソフトウエアを用いてＭＦＰ１０に送信する。
【００９２】
具体的には、外部端末５０において、標準印刷ソフトウエアの起動指令がユーザＵ１から受け付けられると、標準印刷ソフトウエアにおける印刷設定画面（不図示）が外部端末５０のタッチパネル７５に表示される。そして、当該印刷設定画面において、ユーザＵ１は、印刷対象データについて所望の印刷設定を施して印刷ジョブを生成し、当該印刷ジョブの実行指示を付与する。印刷ジョブの実行指示が付与されると、当該印刷ジョブが外部端末５０からＭＦＰ１０へと送信される。また、外部端末５０は、標準認証における２つの項目（ユーザＩＤおよびユーザパスワード）に関する入力情報（標準認証用情報）を、簡易認証に用いられる認証情報（簡易認証用情報）として当該印刷ジョブとともに（当該印刷ジョブに付加して）ＭＦＰ１０に送信する。なお、この標準認証用情報（簡易認証用情報）は、標準印刷ソフトウエアの起動後にユーザＵ１によって入力されるようにしてもよく、或いは、ユーザＵ１によって外部端末５０に予め入力されているようにしてもよい。
【００９３】
印刷ジョブおよび簡易認証用情報が外部端末５０からＭＦＰ１０へと送信されると、ＭＦＰ１０においては、次のような動作が行われる。図４は、ＭＦＰ１０の動作を示すフローチャートである。
【００９４】
具体的には、ＭＦＰ１０は、印刷ジョブおよび簡易認証用情報（ユーザＩＤおよびユーザパスワード）を外部端末５０から受信する（ステップＳ１１）と、簡易認証（簡易認証処理）を実行する（ステップＳ１２）（図７も参照）。なお、外部端末５０からの当該印刷ジョブは、ＭＦＰ１０の格納部５に一旦スプールされる。
【００９５】
詳細には、ＭＦＰ１０（認証処理部１５）は、ＭＦＰ１０の複数ユーザ（ユーザＵ１〜Ｕ１０）のうち許容ユーザ（ユーザＵ１，Ｕ３）について、外部端末５０からの簡易認証用情報と簡易認証情報管理テーブル４００（４０１）に登録されている簡易認証正規情報（ここでは高度認証正規情報全体）とに基づき簡易認証を行う（ステップＳ１２）。
【００９６】
より詳細には、簡易認証用情報における全ての項目（ここでは２つの項目（ユーザＩＤおよびユーザパスワード））の情報と同じ情報が、簡易認証情報管理テーブル４０１における許容ユーザ（ユーザＵ１，Ｕ３）のうちのいずれかのユーザの簡易認証正規情報に含まれているか否か、が判定される。
【００９７】
当該簡易認証用情報における２つの項目（ユーザＩＤおよびユーザパスワード）の情報と同じ情報が、許容ユーザのうちのいずれかのユーザの簡易認証正規情報に含まれていると判定される場合、ＭＦＰ１０（認証処理部１５）は、当該許容ユーザのうちの一のユーザに関して簡易認証に成功した旨を判定する（ステップＳ１３）。ここでは、簡易認証用情報における２つの項目（ユーザＩＤおよびユーザパスワード）の情報と同じ情報が、許容ユーザのうちのユーザＵ１の簡易認証正規情報（高度認証正規情報全体）に含まれていると判定され、当該ユーザＵ１に関して簡易認証に成功した旨が判定される。そして、処理はステップＳ１４へと進む。
【００９８】
ステップＳ１４においては、ＭＦＰ１０（判定部１６）は、外部端末５０からの印刷ジョブの依頼元ユーザは許容ユーザ（ユーザＵ１，Ｕ３）のうちのユーザＵ１である（当該印刷ジョブはユーザＵ１によって付与されたジョブである）旨を判定し、当該印刷ジョブの実行を許可する。換言すれば、高度認証における正規の認証情報（高度認証正規情報）が高度認証情報管理テーブル３０１に登録されているユーザ（ユーザＵ１）からの印刷ジョブが受信されたと判定され、当該ユーザＵ１に対して高度認証を行わないことが許容される。
【００９９】
そして、外部端末５０からの印刷ジョブの実行が許可される（ステップＳ１４）と、ＭＦＰ１０（ジョブ制御部１７）は、（高度認証を行うことなく）当該印刷ジョブを実行する（ステップＳ１５）。
【０１００】
なお、簡易認証用情報における２つの項目（ユーザＩＤおよびユーザパスワード）の情報と同じ情報が、許容ユーザのうちのいずれのユーザの簡易認証正規情報にも含まれていないと判定される場合、簡易認証に失敗した旨が判定される（ステップＳ１３）そして、処理はステップＳ１６へと進み、外部端末５０からの印刷ジョブの実行が許可されず、当該印刷ジョブが破棄される。
【０１０１】
以上のように、第１実施形態に係る動作においては、簡易認証を許容する許容ユーザ（ユーザＵ１，Ｕ３）について、高度認証における正規の認証情報（高度認証正規情報）全体が、簡易認証における正規の認証情報（簡易認証正規情報）として予め登録される。その後、外部端末５０から印刷ジョブとともに簡易認証用情報が受信されると、当該簡易認証用情報と簡易認証正規情報とに基づき簡易認証が行われる。そして、許容ユーザのうちの一のユーザ（ユーザＵ１）に関して当該簡易認証に成功した旨が判定されると、印刷ジョブの依頼元ユーザは当該ユーザＵ１であると判定され、当該印刷ジョブの実行が許可される。したがって、認証情報の入力項目数の不足に起因して印刷ジョブの実行が許可されないことを回避することが可能である。
【０１０２】
なお、上記第１実施形態では、許容ユーザの高度認証正規情報の全部の情報が当該許容ユーザの簡易認証正規情報として登録される態様を例示したが、これに限定されず、許容ユーザの高度認証正規情報の一部の情報が当該許容ユーザの簡易認証正規情報として登録されるようにしてもよい。
【０１０３】
図１０は、この第１実施形態の変形例に係る各種の認証情報を概念的に示す図である。
【０１０４】
たとえば、簡易認証許可画面２０２（図９参照）においてユーザ（たとえばユーザＵ１）によって簡易認証が許容されると、高度認証情報管理テーブル３０１における当該ユーザＵ１の高度認証正規情報のうちの一部の情報が取得される。具体的には、高度認証情報管理テーブル３０１における当該ユーザＵ１の高度認証正規情報のうち、簡易認証に要する２つの項目（ユーザＩＤおよびユーザパスワード）と同じ項目の情報が取得される。そして、当該ユーザＵ１の高度認証正規情報のうち当該２つの項目と同じ項目の情報が、ユーザＵ１の簡易認証正規情報として簡易認証情報管理テーブル４００（４０２）に登録される（図１０参照）。
【０１０５】
その後、簡易認証用情報が外部端末５０から印刷ジョブとともに受信される（ステップＳ１１）と、当該簡易認証用情報と簡易認証情報管理テーブル４０２に登録されている簡易認証正規情報とに基づき簡易認証が行われる（ステップＳ１２）。具体的には、当該簡易認証用情報における２つの項目（ユーザＩＤおよびユーザパスワード）の情報と同じ情報が簡易認証正規情報に含まれているか否か、に基づき簡易認証が行われる。
【０１０６】
そして、許容ユーザ（ユーザＵ１，Ｕ３）のうちの一のユーザ（たとえばユーザＵ１）に関して簡易認証に成功した旨が判定される（ステップＳ１３）と、印刷ジョブの依頼元ユーザは当該ユーザＵ１である旨が判定され、印刷ジョブの実行が許可される（ステップＳ１４）。印刷ジョブの実行が許可されると、外部端末５０からの印刷ジョブが実行される（ステップＳ１５）。
【０１０７】
このように、許容ユーザの高度認証正規情報の一部の情報が当該許容ユーザの簡易認証正規情報として登録されるようにしてもよい。
【０１０８】
＜２．第２実施形態＞
第２実施形態では、簡易認証と高度認証との２種類の認証が２段階に亘って行われる態様について説明する。具体的には、第１段階の認証として簡易認証が行われ、当該簡易認証に成功した旨が判定されると、第２段階の認証として高度認証が行われる。そして、当該高度認証に成功した旨が判定されると、印刷ジョブの実行が許可される。
【０１０９】
図１１は、第２実施形態に係る各種の認証情報を概念的に示す図である。図１１に示すように、許容ユーザ（ユーザＵ１，Ｕ３）について、高度認証に用いるための認証情報（高度認証用情報）と簡易認証において正規の認証情報として利用する簡易認証正規情報とが互いに関連付けられて簡易認証情報管理テーブル４００（４０３）に登録される。その後、外部端末５０から印刷ジョブとともに簡易認証用情報が受信されると、当該簡易認証用情報と簡易認証正規情報とに基づき簡易認証が行われる。簡易認証の結果、許容ユーザのうちの一のユーザ（たとえばユーザＵ１）に関して簡易認証に成功すると、当該ユーザＵ１の簡易認証正規情報に関連付けられて登録されている当該ユーザＵ１の高度認証用情報を用いて高度認証が行われる。そして、当該ユーザＵ１に関して高度認証に成功すると、印刷ジョブの依頼元ユーザは当該ユーザＵ１であると判定され、印刷ジョブの実行が許可される。
【０１１０】
まず、簡易認証情報管理テーブル４００（４０３）への高度認証用情報および簡易認証正規情報の登録について説明する。
【０１１１】
具体的には、簡易認証許可画面２０２（図９参照）においてユーザ（たとえばユーザＵ１）によって簡易認証が許容されると、当該ユーザ（ユーザＵ１）について、高度認証に用いるための高度認証用情報（ユーザＩＤ、ユーザパスワード、部門ＩＤおよび部門パスワード）が簡易認証情報管理テーブル４００（４０３）に登録される。より詳細には、高度認証情報管理テーブル３００（３０１）（図１１参照）に登録されている複数ユーザの高度認証正規情報の中からユーザＵ１の高度認証正規情報が取得される。そして、取得されたユーザＵ１の高度認証正規情報が、当該ユーザＵ１の高度認証用情報として簡易認証情報管理テーブル４００（４０３）に登録される。この簡易認証情報管理テーブル４０３における高度認証用情報は、簡易認証の次段階で行われる高度認証において用いられる。
【０１１２】
また、ユーザ（ユーザＵ１）に対して簡易認証が許容されると、簡易認証情報入力画面２０３（図１２参照）がＭＦＰ１０のタッチパネル２５に表示される。図１２に示すように、当該簡易認証情報入力画面２０３には、簡易認証において認証情報として用いられる２つの項目（ユーザＩＤおよびユーザパスワード）が表示されている。
【０１１３】
簡易認証情報入力画面２０３における２つの項目に認証情報が入力され、ＯＫボタン２３１が押下されると、ユーザＵ１によって入力された認証情報が簡易認証正規情報としてＭＦＰ１０に登録される。具体的には、ＭＦＰ１０（登録部１４）は、ユーザ（ユーザＵ１）によって入力された認証情報を、簡易認証における当該ユーザＵ１の正規の認証情報（簡易認証正規情報）として当該ユーザＵ１の高度認証用情報に関連付けて簡易認証情報管理テーブル４００（４０３）に登録する。この簡易認証情報管理テーブル４００（４０３）においては、図１１に示すように、許容ユーザ（ユーザＵ１，Ｕ３）ごとに、簡易認証正規情報と高度認証用情報とが互いに関連付けられて登録されている。
【０１１４】
つぎに、印刷ジョブおよび簡易認証用情報が外部端末５０からＭＦＰ１０へと送信されると、ＭＦＰ１０においては、次のような動作が行われる。図１３は、ＭＦＰ１０の動作を示すフローチャートである。第２実施形態では、図１３に示すように、上記第１実施形態のステップＳ１１〜Ｓ１６（図４参照）の処理に加えて、ステップＳ２１，Ｓ２２の処理が行われる。
【０１１５】
具体的には、印刷ジョブおよび簡易認証用情報が外部端末５０から受信される（ステップＳ１１）と、当該簡易認証用情報と簡易認証正規情報とに基づき簡易認証が行われる（ステップＳ１２）。詳細には、外部端末５０からの簡易認証用情報における２つの項目（ユーザＩＤおよびユーザパスワード）の情報と同じ情報が、簡易認証情報管理テーブル４００（４０３）における許容ユーザ（ユーザＵ１，Ｕ３）のうちのいずれかのユーザの簡易認証正規情報に含まれているか否か、が判定される。当該簡易認証用情報における２つの項目の情報と同じ情報が許容ユーザのうちのいずれかのユーザ（たとえばユーザＵ１）の簡易認証正規情報に含まれていると判定されると、当該ユーザＵ１に関して簡易認証に成功した旨がステップＳ１３にて判定され、処理はステップＳ２１へと進む。一方、当該簡易認証用情報における２つの項目の情報と同じ情報が許容ユーザのうちのいずれのユーザの簡易認証正規情報にも含まれていないと判定されると、簡易認証に失敗した旨がステップＳ１３にて判定され、処理はステップＳ１６へと進む。
【０１１６】
ステップＳ２１においては、簡易認証に成功したユーザ（ユーザＵ１）に対応する高度認証用情報（ユーザＩＤ、ユーザパスワード、部門ＩＤおよび部門パスワード）を用いて高度認証が行われる。具体的には、簡易認証情報管理テーブル４０３（図１１参照）においてユーザＵ１の簡易認証用情報に関連付けられて登録されている当該ユーザＵ１の高度認証用情報が取得される。そして、ＭＦＰ１０（認証処理部１５）は、取得されたユーザＵ１の高度認証用情報（ユーザＩＤ、ユーザパスワード、部門ＩＤおよび部門パスワード）を用いて高度認証を行う。より詳細には、簡易認証情報管理テーブル４０３におけるユーザＵ１の高度認証用情報と高度認証情報管理テーブル３００（３０１）（図１１参照）における高度認証正規情報とに基づき高度認証が行われる。換言すれば、第１段階の認証としてユーザＵ１に関して簡易認証に成功すると、当該ユーザＵ１の簡易認証正規情報がユーザＵ１の高度認証用情報に変換され、当該ユーザＵ１の高度認証用情報に基づき高度認証が第２段階の認証として行われる。端的に言えば、簡易認証情報管理テーブル４０３が、簡易認証正規情報を高度認証用情報に変換するための変換テーブルとして利用される。
【０１１７】
高度認証の結果、ユーザＵ１の高度認証用情報に合致する高度認証正規情報が高度認証情報管理テーブル３００（３０１）に存在する場合、ＭＦＰ１０（認証処理部１５）は、当該ユーザＵ１に関して高度認証に成功した旨をステップＳ２２において判定し、処理はステップＳ１４へと進む。そして、外部端末５０からの印刷ジョブの依頼元ユーザは許容ユーザ（ユーザＵ１，Ｕ３）のうちのユーザＵ１である旨が判定されるとともに当該印刷ジョブの実行が許可され（ステップＳ１４）、当該印刷ジョブが実行される（ステップＳ１５）。
【０１１８】
なお、ユーザＵ１の高度認証用情報に合致する高度認証正規情報が高度認証情報管理テーブル３００（３０１）に存在しない場合は、高度認証に失敗した旨がステップＳ２２にて判定され、処理はステップＳ１６へと進む。そして、外部端末５０からの印刷ジョブの実行が許可されず、ＭＦＰ１０にスプールされている印刷ジョブは破棄される。
【０１１９】
このように、第２実施形態に係る態様においては、許容ユーザについて、高度認証に用いるための高度認証用情報と簡易認証において正規の認証情報として利用する簡易認証正規情報とが関連付けられて予め登録される。その後、外部端末５０から印刷ジョブとともに受信された簡易認証用情報と当該簡易認証正規情報とに基づき簡易認証が行われる。簡易認証の結果、許容ユーザのうちの一のユーザ（ユーザＵ１）に関して簡易認証に成功した旨が判定されると、当該ユーザＵ１の簡易認証正規情報に関連付けられて登録されている高度認証用情報を用いて高度認証が行われる。そして、当該ユーザＵ１に関して高度認証に成功した旨が判定されると、当該印刷ジョブの実行が許可される。したがって、認証情報の入力項目数の不足に起因して印刷ジョブの実行が許可されないことを回避することが可能である。
【０１２０】
また、第１段階の認証として簡易認証が行われた後、当該簡易認証に成功したユーザの簡易認証正規情報が高度認証用情報に変換され、当該ユーザの高度認証用情報が用いられて高度認証が第２段階の認証として行われる。したがって、第２段階の認証（高度認証）において、既存の処理ルーチン（高度認証の認証結果に基づき印刷ジョブの実行許否を判定する処理ルーチン）を利用することが可能である。
【０１２１】
なお、上記第２実施形態では、簡易認証情報入力画面２０３（図１２参照）においてユーザＵ１によって入力された認証情報が簡易認証正規情報として高度認証用情報に関連付けられて登録される態様を例示したが、これに限定されない。たとえば、ユーザＵ１に対して簡易認証が許容されると、当該ユーザＵ１の高度認証正規情報のうちの一部の情報（簡易認証に要する２つの項目（ユーザＩＤおよびユーザパスワード）の情報）が取得され、取得された当該一部の情報が簡易認証正規情報として高度認証用情報と関連付けられて自動的に登録されるようにしてもよい。
【０１２２】
＜３．第３実施形態＞
第３実施形態は、第２実施形態の変形例である。以下では、第２実施形態との相違点を中心に説明する。
【０１２３】
第２実施形態では、高度認証用情報と簡易認証正規情報とが互いに関連付けられて登録される態様を例示した。
【０１２４】
第３実施形態では、高度認証用情報と簡易認証正規情報とが、簡易認証正規情報が高度認証用情報に内包されるように登録される態様を例示する。
【０１２５】
図１４は、第３実施形態に係る各種の認証情報を概念的に示す図である。図１４に示すように、許容ユーザ（ユーザＵ１，Ｕ３）について、高度認証用情報と簡易認証正規情報とが、簡易認証正規情報が高度認証用情報に内包されるように簡易認証情報管理テーブル４００（４０３）に登録される。その後、外部端末５０から印刷ジョブとともに簡易認証用情報が受信されると、当該簡易認証用情報と簡易認証正規情報とに基づき簡易認証が行われる。簡易認証の結果、許容ユーザのうちの一のユーザ（たとえばユーザＵ１）に関して簡易認証に成功すると、当該ユーザＵ１の簡易認証正規情報を包含する高度認証用情報を用いて高度認証が行われる。そして、当該ユーザＵ１に関して高度認証に成功すると、印刷ジョブの依頼元ユーザは当該ユーザＵ１であると判定され、印刷ジョブの実行が許可される。
【０１２６】
簡易認証情報管理テーブル４００（４０３）への高度認証用情報および簡易認証正規情報の登録について説明する。
【０１２７】
具体的には、簡易認証許可画面２０２（図９参照）においてユーザＵ１によって簡易認証が許容されると、ＭＦＰ１０（登録部１４）は、高度認証情報管理テーブル３００（３０１）におけるユーザＵ１の高度認証正規情報を、高度認証に用いるための認証情報（高度認証用情報）として簡易認証情報管理テーブル４００（４０４）に登録する（図１４参照）。また、ＭＦＰ１０（登録部１４）は、ユーザＵ１の高度認証用情報の一部の情報であって当該高度認証用情報のうち簡易認証に要する２つの項目の情報を簡易認証正規情報として登録する。詳細には、高度認証用情報のうちのユーザＩＤおよびユーザパスワードが、簡易認証正規情報として登録される。
【０１２８】
また、この第３実施形態においても、第２実施形態と同様に図１３の各処理がそれぞれ行われる。
【０１２９】
ただし、第３実施形態のステップＳ１２における簡易認証の処理内容が、第２実施形態のステップＳ１２における簡易認証の処理内容とは異なる。また、第３実施形態のステップＳ２１における高度認証の処理内容も、第２実施形態のステップＳ２１における高度認証の処理内容とは異なる。
【０１３０】
具体的には、ステップＳ１２においては、外部端末５０からの簡易認証用情報における２つの項目（ユーザＩＤおよびユーザパスワード）の情報と同じ情報が、簡易認証情報管理テーブル４００（４０４）における許容ユーザのうちのいずれかのユーザの簡易認証正規情報に含まれているか否か、が判定される。当該簡易認証用情報における当該２つの項目の情報と同じ情報が、簡易認証情報管理テーブル４０４における許容ユーザのうちのいずれかのユーザ（たとえばユーザＵ１）の簡易認証正規情報に含まれていると判定されると、当該ユーザＵ１に関して簡易認証に成功した旨がステップＳ１３にて判定される。そして、処理はステップＳ２１へと進む。一方、当該簡易認証用情報における２つの項目の情報と同じ情報が、簡易認証情報管理テーブル４０４における許容ユーザのうちのいずれのユーザの簡易認証正規情報にも含まれていないと判定されると、簡易認証に失敗した旨がステップＳ１３にて判定される。そして、処理はステップＳ１６へと進む。
【０１３１】
ステップＳ２１においては、ＭＦＰ１０（認証処理部１５）は、当該ユーザＵ１の簡易認証正規情報を包含する高度認証用情報を用いて高度認証を行う（図１４も参照）。具体的には、外部端末５０からの簡易認証用情報における当該２つの項目の情報と同じ情報が含まれていると判定された簡易認証正規情報を包含する高度認証用情報を用いて高度認証が行われる。そして、当該ユーザＵ１に関して高度認証に成功した旨がステップＳ２２にて判定されると、処理はステップＳ１４へと進む。一方、高度認証に失敗した旨がステップＳ２２にて判定されると、処理はステップＳ１６へと進む。
【０１３２】
なお、ステップＳ１２，Ｓ２１以外の処理は、上記第２実施形態と同様にして行われる。
【０１３３】
このような態様によれば、上記第２実施形態と同様の効果を得ることが可能である。
【０１３４】
＜４．第４実施形態＞
第４実施形態は、上記第１〜第３実施形態の変形例である。以下では、上記第１〜第３実施形態との相違点を中心に説明する。
【０１３５】
第４実施形態では、印刷ジョブの依頼元ユーザとＭＦＰ１０のログインユーザとの同一性に関する判定動作等がさらに実行される。ここでは、上記第１実施形態において当該判定動作等がさらに実行される態様について例示する。
【０１３６】
具体的には、印刷ジョブの実行指示の付与の前に、ユーザ（ユーザＵ１）は、ＭＦＰ１０にタッチパネル２５を用いてＭＦＰ１０に予めログインしておく。そして、ユーザ（ユーザＵ１）は、ＭＦＰ１０にログインしている状態で印刷ジョブの実行指示を外部端末５０を用いて付与する。その後、外部端末５０から印刷ジョブとともに送信されてきた簡易認証用情報に基づき簡易認証がＭＦＰ１０において行われ、当該簡易認証に成功すると、印刷ジョブの依頼元ユーザとＭＦＰ１０のログインユーザとの同一性が判定される。そして、当該依頼元ユーザとログインユーザとが同じユーザであると判定されると、外部端末５０からの印刷ジョブの実行が許可される。
【０１３７】
図１５は、第４実施形態に係るＭＦＰ１０の動作を示すフローチャートである。第４実施形態では、図１５に示すように、上記第１実施形態のステップＳ１１〜Ｓ１６（図４参照）の処理に加えて、ステップＳ３１，Ｓ３２の処理が行われる。
【０１３８】
具体的には、ステップＳ３１において、ＭＦＰ１０（操作入力部６ａ）は、ユーザ（たとえばユーザＵ１）のログインを受け付ける。詳細には、ＭＦＰ１０のタッチパネル２５に表示されたログイン画面２０１（図８参照）に対する操作入力によって、ユーザＵ１は、ログイン情報（ユーザＩＤ、ユーザパスワード、部門ＩＤおよび部門パスワード）を入力し、ＭＦＰ１０にログインする。ユーザＵ１のログインが受け付けられると、ＭＦＰ１０は、ログイン認証（ログイン情報（高度認証用情報）と高度認証正規情報との照合によるユーザ認証）の認証結果に基づき、当該ユーザＵ１をログインユーザとして特定する。
【０１３９】
その後、ユーザＵ１がＭＦＰ１０にログインしている状態で、当該ユーザＵ１が自身の外部端末５０を用いて印刷ジョブの実行指示を付与すると、当該印刷ジョブおよび簡易認証用情報が外部端末５０からＭＦＰ１０へと送信される。ＭＦＰ１０においては、印刷ジョブおよび簡易認証用情報が外部端末５０から受信される（ステップＳ１１）と、当該簡易認証用情報と簡易認証正規情報とに基づき簡易認証が行われる（ステップＳ１２）。なお、簡易認証の処理内容は、第１実施形態と同様である。そして、許容ユーザのうちの一のユーザ（ユーザＵ１）に関して簡易認証に成功すると、印刷ジョブの依頼元ユーザは当該ユーザＵ１であると判定され、処理はステップＳ３２へと進む。
【０１４０】
ステップＳ３２においては、ＭＦＰ１０（判定部１６）は、印刷ジョブの依頼元ユーザであると判定されたユーザ（ユーザＵ１）が、ＭＦＰ１０にログイン中のログインユーザと同じユーザであるか否か、を判定する。具体的には、ＭＦＰ１０へのログインに際して特定されていたログインユーザ（ここではユーザＵ１）と、簡易認証によって印刷ジョブの依頼元ユーザであると判定されたユーザ（ユーザＵ１）とが同じユーザであるか否か、が判定される。
【０１４１】
印刷ジョブの依頼元ユーザであると判定されたユーザ（ユーザＵ１）がログインユーザと同じユーザである旨が判定されると、処理はステップＳ１４へと進み、外部端末５０からの印刷ジョブの実行が許可される。一方、印刷ジョブの依頼元ユーザであると判定されたユーザがログインユーザと同じユーザではない旨が判定されると、処理はステップＳ１６へと進み、当該印刷ジョブの実行は許可されない。
【０１４２】
このように、簡易認証に成功した旨が判定され、且つ印刷ジョブの依頼元ユーザであると判定されたユーザ（ユーザＵ１）とログインユーザとが同じユーザである旨が判定される場合に、外部端末５０からの印刷ジョブの実行が許可される。換言すれば、簡易認証に成功した旨が判定される場合であっても、印刷ジョブの依頼元ユーザがログインユーザとは異なるユーザである旨が判定されるときには、外部端末５０からの印刷の実行は許可されない。
【０１４３】
ここにおいて、ユーザＵ１以外の他人が、ユーザＵ１の外部端末５０を（勝手に）利用して印刷ジョブの実行指示を付与することが考えられる。たとえば、第４実施形態に係る思想を考慮しない場合、ユーザＵ１の外部端末５０が用いられて当該他人によって印刷ジョブの実行指示が付与されると、ユーザＵ１の外部端末５０から印刷ジョブとともに受信された簡易認証用情報に基づき簡易認証に成功し、印刷ジョブの実行が許可される。そのため、外部端末５０の所有者であるユーザＵ１の意図に反して付与された印刷ジョブが、ＭＦＰ１０において実行されてしまうことがある。
【０１４４】
これに対して、この第４実施形態に係る態様によれば、ユーザＵ１に関して簡易認証に成功した旨が判定される場合であっても、印刷ジョブの依頼元ユーザであると判定されたユーザＵ１とＭＦＰ１０のログインユーザとが異なるユーザである場合、当該印刷ジョブの実行は許可されない。換言すれば、印刷ジョブの依頼元ユーザであると判定されたユーザ（ユーザＵ１）が、ログインユーザとして実際にＭＦＰ１０の近傍（ＭＦＰ１０の前）に存在している場合にのみ、印刷ジョブの実行が許可される。したがって、外部端末５０の所有者（ユーザＵ１）の意図に反して付与された印刷ジョブの実行が許可されることを回避することが可能である。
【０１４５】
なお、ここでは、第１実施形態において上述のような動作（印刷ジョブの依頼元ユーザとログインユーザとの同一性に関する判定動作等）がさらに実行される態様を例示したが、これに限定されず、他の実施形態（第２、第３実施形態）等において上述のような動作がさらに実行されるようにしてもよい。
【０１４６】
たとえば、第２実施形態において上述のような動作がさらに実行される場合は、簡易認証後に行われた高度認証に成功した旨が判定され、且つ印刷ジョブの依頼元ユーザであると判定されたユーザ（ユーザＵ１）がＭＦＰ１０のログインユーザと同じユーザである旨が判定される場合に、印刷ジョブの実行が許可される。
【０１４７】
＜５．第５実施形態＞
第５実施形態は、上記第１〜第４実施形態の変形例である。以下では、上記第１〜第４実施形態との相違点を中心に説明する。
【０１４８】
上記第１〜第４実施形態では、ＭＦＰ１０が認証処理を行う態様を例示した。
【０１４９】
この第５実施形態では、認証サーバ８０が認証処理を行う態様を例示する。ここでは、第１実施形態におけるＭＦＰ１０の動作と同様の動作が認証サーバ８０において行われる態様を例示する。
【０１５０】
図１６は、第５実施形態に係る印刷システム１（１Ｂ）を示す図である。図１６に示すように、第５実施形態に係る印刷システム１（１Ｂ）は、ＭＦＰ１０と外部端末５０と認証サーバ８０とを備える。
【０１５１】
この認証サーバ８０は、ＭＦＰ１０とも外部端末５０とも異なる外部装置（外部サーバ）である。認証サーバ８０は、ＭＦＰ１０を利用するユーザを認証するための認証機能を備えたサーバ装置である。
【０１５２】
第５実施形態の印刷システム１（１Ｂ）においては、ＭＦＰ１０は、印刷ジョブと簡易認証用情報とを外部端末５０から受信すると、当該印刷ジョブをスプールするとともに、外部端末５０から受信された当該簡易認証用情報を認証サーバ８０に転送する。そして、認証サーバ８０にて上記第１実施形態と同様にして簡易認証が行われる。そして、認証サーバ８０は、簡易認証の認証結果をＭＦＰ１０に送信し、ＭＦＰ１０は、認証に成功した旨の認証結果が認証サーバ８０から受信されると、外部端末５０からの印刷ジョブの実行を許可する。
【０１５３】
また、図１７は、認証サーバ８０の機能ブロックを示す図である。図１７に示すように、認証サーバ８０は、通信部８４、格納部８５およびコントローラ（制御部）８９等を備えており、これらの各部を複合的に動作させることによって、各種の機能を実現する。
【０１５４】
通信部８４は、ネットワーク１０８を介したネットワーク通信を利用することによって、所望の相手先（ＭＦＰ１０等）と連携して各種のデータを授受することが可能である。通信部８４は、各種データを送信する送信部８４ａと各種データを受信する受信部８４ｂとを有する。
【０１５５】
格納部８５は、ハードディスクドライブ（ＨＤＤ）等の記憶装置で構成される。
【０１５６】
コントローラ（制御部）８９は、認証サーバ８０に内蔵され、認証サーバ８０を統括的に制御する制御装置である。コントローラ８９は、ＣＰＵおよび各種の半導体メモリ（ＲＡＭおよびＲＯＭ）等を備えるコンピュータシステムとして構成される。コントローラ８９は、ＣＰＵにおいて、ＲＯＭ（例えば、ＥＥＰＲＯＭ）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体を介して認証サーバ８０にインストールされてもよく、あるいはネットワーク１０８等を介して認証サーバ８０にインストールされてもよい。
【０１５７】
具体的には、図１７に示すように、コントローラ８９は、当該プログラムの実行により、通信制御部９１と登録部９２と認証処理部９３と判定部９４とを含む各種の処理部を実現する。
【０１５８】
通信制御部９１は、他の装置（ＭＦＰ１０等）との間の通信動作を通信部８４等と協働して制御する処理部である。
【０１５９】
認証サーバ８０の登録部９２、認証処理部９３および判定部９４は、ＭＦＰ１０の登録部１４、認証処理部１５および判定部１６（上記第１実施形態参照）と同様の動作等をそれぞれ制御する処理部である。
【０１６０】
第１実施形態におけるＭＦＰ１０の動作と同様の動作が認証サーバ８０において行われる態様について、以下に説明する。
【０１６１】
認証サーバ８０は、第１実施形態と同様に、高度認証情報管理テーブル３００（３０１）（図５参照）と簡易認証情報管理テーブル４００（４０１）（図６参照）とを有する。簡易認証情報管理テーブル４００（４０１）においては、許容ユーザ（ここではユーザＵ１，Ｕ３）ごとに、高度認証正規情報全体が簡易認証正規情報として登録されている。
【０１６２】
その後、ユーザＵ１が外部端末５０を用いて印刷ジョブの実行指示を付与すると、外部端末５０は、当該印刷ジョブおよび簡易認証用情報（ユーザＩＤおよびユーザパスワード）をＭＦＰ１０に送信する。ＭＦＰ１０は、印刷ジョブおよび簡易認証用情報を外部端末５０から受信すると、当該印刷ジョブを一旦スプールするとともに、当該簡易認証用情報を認証サーバ８０に送信（転送）する。
【０１６３】
当該簡易認証用情報がＭＦＰ１０から認証サーバ８０へと送信されると、認証サーバ８０では、次のような動作が行われる。図１８は、認証サーバ８０の動作を示すフローチャートである。
【０１６４】
具体的には、簡易認証用情報（ユーザＩＤおよびユーザパスワード）がＭＦＰ１０から受信される（ステップＳ４１）と、認証サーバ８０（認証処理部９３）は、当該簡易認証用情報と簡易認証正規情報（高度認証正規情報全体）とに基づき簡易認証を行う（ステップＳ４２）。なお、ステップＳ４２における簡易認証の具体的な処理内容は、第１実施形態の簡易認証（ステップＳ１２（図４参照））の処理内容と同じである。
【０１６５】
そして、許容ユーザのうちの一のユーザ（たとえばユーザＵ１）に関して簡易認証に成功した旨がステップＳ４３にて判定されると、認証サーバ８０は、簡易認証に成功した旨の認証結果をＭＦＰ１０に送信する（ステップＳ４４）。当該簡易認証の認証結果は、当該簡易認証の成否に基づき印刷ジョブの実行許否を判定するための許否判定情報として認証サーバ８０からＭＦＰ１０へと送信される。
【０１６６】
簡易認証に成功した旨の認証結果が認証サーバ８０から受信されると、ＭＦＰ１０（判定部１６およびジョブ制御部１７）は、ＭＦＰ１０に（一時的に）スプールされていた印刷ジョブの実行を許可し、当該印刷ジョブを実行する。
【０１６７】
一方、簡易認証に失敗した旨がステップＳ４３にて判定されると、簡易認証に失敗した旨の認証結果が認証サーバ８０からＭＦＰ１０に送信される（ステップＳ４５）。簡易認証に失敗した旨の認証結果が認証サーバ８０から受信されると、ＭＦＰ１０（判定部１６およびジョブ制御部１７）は、ＭＦＰ１０にスプールされていた当該印刷ジョブの実行を許可せず、当該印刷ジョブを破棄する。
【０１６８】
このような態様によれば、上記第１実施形態と同様の効果を得ることが可能である。
【０１６９】
なお、上記第５実施形態では、第１実施形態におけるＭＦＰ１０の動作と同様の動作が認証サーバ８０にて行われる態様を例示したが、これに限定されず、他の実施形態等（第２〜第４実施形態等）におけるＭＦＰ１０の動作と同様の動作が認証サーバ８０にて行われるようにしてもよい。
【０１７０】
たとえば、第２実施形態におけるＭＦＰ１０の動作と同様の動作が認証サーバ８０にて行われるようにしてもよい。具体的には、認証サーバ８０（登録部９２）は、許容ユーザの高度認証用情報と当該許容ユーザの簡易認証正規情報とを関連付けて簡易認証情報管理テーブル４００（４０３）（図１１参照）に登録する。そして、ＭＦＰ１０からの簡易認証用情報と当該簡易認証正規情報とに基づく簡易認証に成功すると、当該簡易認証正規情報に関連付けられて登録されている高度認証用情報を用いて高度認証を行う。そして、高度認証の認証結果が認証サーバ８０からＭＦＰ１０へと送信され、ＭＦＰ１０においては、高度認証に成功した旨の認証結果が認証サーバ８０から受信されると、外部端末５０からの印刷ジョブの実行が許可される。
【０１７１】
＜６．変形例等＞
以上、この発明の実施の形態について説明したが、この発明は上記内容のものに限定されるものではない。
【０１７２】
＜第１実施形態の変形例＞
上記第１実施形態では、高度認証情報管理テーブル３００（３０１）（図５参照）とは別個に設けられた簡易認証情報管理テーブル４００（４０１）（図６参照）において、許容ユーザ（ユーザＵ１，Ｕ３）の高度認証正規情報が当該許容ユーザの簡易認証正規情報として登録される態様を例示した。
【０１７３】
しかしながら、本発明はこれに限定されず、（簡易認証情報管理テーブル４００を別途設けることなく）高度認証情報管理テーブル３００において、許容ユーザ（ユーザＵ１，Ｕ３）の高度認証正規情報が簡易認証正規情報として登録されるようにしてもよい。
【０１７４】
具体的には、図１９に示すように、高度認証情報管理テーブル３００（３０２）に簡易認証許否欄が設けられる。ＭＦＰ１０（認証処理部１５）は、簡易認証を行うことを許可する旨が当該高度認証情報管理テーブル３００（３０２）の簡易認証許否欄に示されているユーザ（ここではユーザＵ１，Ｕ３）に対して（のみ）、簡易認証を許容する。
【０１７５】
より詳細には、簡易認証許可画面２０２（図９参照）においてユーザＵ１によって簡易認証が許容されると、ＭＦＰ１０（登録部１４）は、高度認証情報管理テーブル３０２におけるユーザＵ１の高度認証正規情報全体を当該ユーザＵ１の簡易認証正規情報として登録する。また、高度認証情報管理テーブル３０２におけるユーザＵ１の簡易認証許否欄に、当該ユーザＵ１に対して簡易認証を許容する旨が示される。
【０１７６】
その後、簡易認証用情報が外部端末５０から印刷ジョブとともに受信される（ステップＳ１１（図４参照））と、簡易認証を許容する旨が簡易認証許否欄にて示されているユーザ（ユーザＵ１，Ｕ３）に対してのみ簡易認証が行われる（ステップＳ１２）。具体的には、高度認証情報管理テーブル３０２に登録されている全てのユーザの高度認証正規情報のうちの許容ユーザ（ユーザＵ１，Ｕ３）の高度認証正規情報（簡易認証正規情報）と外部端末５０からの簡易認証用情報とに基づき簡易認証が行われる。そして、許容ユーザのうちの一のユーザ（たとえばユーザＵ１）に関して簡易認証に成功した旨がステップＳ１３にて判定されると、当該印刷ジョブの依頼元ユーザは当該ユーザＵ１であると判定され、当該印刷ジョブの実行が許可される（ステップＳ１４）。そして、外部端末５０からの当該印刷ジョブが実行される（ステップＳ１５）。
【０１７７】
このように、（簡易認証情報管理テーブル４００を別途設けることなく）高度認証情報管理テーブル３００において、許容ユーザ（ユーザＵ１，Ｕ３）の高度認証正規情報が当該許容ユーザの簡易認証正規情報として登録されるようにしてもよい。
【０１７８】
＜第４実施形態の第１の変形例＞
上記第４実施形態では、印刷ジョブの依頼元ユーザであると判定されたユーザ（ユーザＵ１）がログインユーザと同じユーザである旨が判定されると、（直ちに）印刷ジョブの実行が許可される態様を例示した。
【０１７９】
しかしながら、これに限定されず、印刷ジョブの実行指示を付与した旨が当該ログインユーザによって確認されることをも条件として、印刷ジョブの実行が許可されるようにしてもよい。
【０１８０】
図２０は、印刷ジョブの実行指示を付与したか否かをログインユーザに確認するための確認画面２０４を示す図である。図２０に示すように、この確認画面２０４には、印刷ジョブの印刷対象ファイル（ここでは「ＡＢＣ．ｐｄｆ」）を印刷したか（実行指示を付与したか）否かをログインユーザ（ここではユーザＵ１）に確認する旨が表示されている。
【０１８１】
具体的には、ステップＳ３２（図１５参照）において「ＹＥＳ」と判定されると、ステップＳ１４の前に、当該確認画面２０４がＭＦＰ１０のタッチパネル２５に表示される。詳細には、ユーザＵ１に関して簡易認証に成功し（ステップＳ１３）、印刷ジョブの依頼元ユーザであると判定されたユーザＵ１とログインユーザとが同じユーザである旨が判定される（ステップＳ３２）と、ＭＦＰ１０のタッチパネル２５に当該確認画面２０４が表示される。
【０１８２】
そして、当該確認画面２０４において「はい」ボタン２４１が押下されると、印刷ジョブの実行指示を付与した旨が当該ログインユーザ（ユーザＵ１）から受け付けられ、当該印刷ジョブの実行が許可される（ステップＳ１４）。一方、「いいえ」ボタン２４２が押下されると、印刷ジョブの実行指示を付与していない旨が受け付けられ、当該印刷ジョブの実行は許可されない（ステップＳ１６）。
【０１８３】
ここにおいて、ユーザＵ１がＭＦＰ１０にログインし且つＭＦＰ１０の前で実際にＭＦＰ１０を利用している際に、当該ユーザＵ１がＭＦＰ１０にログイン中であることを知った他人が、ユーザＵ１の外部端末５０を（勝手に）利用して印刷ジョブの実行指示を付与することが考えられる。第４実施形態においてこのような状況が生じた場合、次のような問題が生じ得る。具体的には、ユーザＵ１の外部端末５０が当該他人に用いられているため、当該他人によって印刷ジョブの実行指示が付与されたとしても、ユーザＵ１の外部端末５０からの簡易認証用情報に基づき簡易認証に成功する（ステップＳ１３）。さらには、ユーザＵ１がＭＦＰ１０にログイン中であるため、ステップＳ３２の判定処理を行ったとしても、印刷ジョブの依頼元ユーザであると判定されたユーザＵ１がログインユーザと同じユーザであると判定される。そのため、処理はステップＳ１４へと進み、ユーザＵ１以外の他人によって付与された印刷ジョブの実行が許可されてしまうことがある。
【０１８４】
これに対して、第４実施形態の第１の変形例によれば、印刷ジョブの依頼元ユーザであると判定されたユーザ（ユーザＵ１）とＭＦＰ１０のログインユーザとが同じユーザである旨が判定された後、印刷ジョブの実行指示を付与した旨が当該ログインユーザから受け付けられることを条件として、印刷ジョブの実行が許可される。換言すれば、ＭＦＰ１０（判定部１６）は、印刷ジョブの依頼元ユーザとログインユーザとが同じユーザであることを仮決定した後、印刷ジョブの実行指示を付与した旨が当該ログインユーザによって確認されると、印刷ジョブの依頼元ユーザとログインユーザとが同じユーザであることを確定し、印刷ジョブの実行を許可する。そのため、ユーザＵ１以外の他人が、ユーザＵ１の外部端末５０を（勝手に）利用して印刷ジョブの実行指示を付与した場合であっても、当該印刷ジョブの実行指示を付与した旨がログインユーザ（ユーザＵ１）によって確認されなければ、当該印刷ジョブの実行は許可されない。したがって、外部端末５０の所有者（ユーザＵ１）の意図に反して付与された印刷ジョブの実行が許可されることをより確実に回避することが可能である。
【０１８５】
＜第４実施形態の第２の変形例＞
また、近距離無線通信（次述）を介した認証情報の授受を伴う認証がさらに行われ、印刷ジョブの依頼元ユーザであると判定されたユーザと、当該近距離無線通信を介した認証情報の授受を伴う認証によって特定されたユーザとが同じユーザである旨が判定されることをも条件として、印刷ジョブの実行が許可されるようにしてもよい。
【０１８６】
ここにおいて、ＭＦＰ１０と外部端末５０との間の通信に、近接場型無線通信（ＮＦＣ（Near Field Communication））、Bluetooth（登録商標）の拡張規格であるＢＬＥ（Bluetooth Low Energy）に基づく通信などの「近距離無線通信」が利用されることがある。ＭＦＰ１０は、外部端末５０等との間で近距離無線通信を行うことが可能な認証装置（たとえばＮＦＣリーダ）を有し、外部端末５０には、近距離無線通信用チップ（たとえばＮＦＣチップ）が内蔵されている。そして、ＭＦＰ１０の近傍領域（たとえば、認証装置を基点とする所定の範囲（たとえば１０センチメートル程度の範囲））内にまで外部端末５０が当該認証装置に近接している旨が電波強度等に基づき検出されると、ＭＦＰ１０と外部端末５０との間の近距離無線通信が確立する。当該近距離無線通信が確立すると、ＭＦＰ１０と外部端末５０との間で各種のデータ授受が行われる。なお、ここでは、近距離無線通信として近接場型無線通信（ＮＦＣ）を例示する。
【０１８７】
図２１は、ＮＦＣを利用した認証を行うべき旨をログインユーザに対して依頼するための認証依頼画面２０７を示す図である。図２１に示すように、この認証依頼画面２０７には、外部端末５０を認証装置にかざすよう指示する旨が表示されている。
【０１８８】
具体的には、ステップＳ３２（図１５参照）において「ＹＥＳ」と判定された後、ステップＳ１４の前に、当該認証依頼画面２０７がＭＦＰ１０のタッチパネル２５に表示される。より詳細には、ユーザＵ１に関して簡易認証に成功し（ステップＳ１３）、印刷ジョブの依頼元ユーザであると判定された当該ユーザＵ１とログインユーザとが同じユーザである旨が判定された（ステップＳ３２）後、ＭＦＰ１０のタッチパネル２５に当該認証依頼画面２０７が表示される。
【０１８９】
認証依頼画面２０７がタッチパネル２５に表示された後、ログインユーザ（ここではユーザＵ１）の外部端末５０（ＮＦＣチップが内蔵された外部端末５０）が認証装置にかざされると、外部端末５０とＭＦＰ１０との間でＮＦＣ通信が確立する。具体的には、認証装置を基点とする所定の範囲（１０センチメートル程度の範囲）を有する近傍領域内にまで外部端末５０が当該認証装置に近接している旨が検出されると、外部端末５０とＭＦＰ１０との間でＮＦＣ通信が確立する。
【０１９０】
当該ＮＦＣ通信が確立すると、ＭＦＰ１０と外部端末５０との間でＮＦＣを介した認証情報の授受が行われる。
【０１９１】
具体的には、ログインユーザＵ１の外部端末５０に対して、簡易認証用情報をＭＦＰ１０に再送信すべき旨を依頼する再送信依頼を当該ＮＦＣを介して送信する。外部端末５０は、当該再送信依頼に応答して、簡易認証用情報を当該ＮＦＣを介してＭＦＰ１０に送信（返信）する。なお、この第４実施形態の第２の変形例における外部端末５０には、ＮＦＣを伴う認証を行うためのアプリケーション（ＮＦＣ認証アプリケーション）がインストールされている。
【０１９２】
ＭＦＰ１０においては、外部端末５０から送信（返信）されてきた簡易認証用情報と、簡易認証管理テーブル４００（４０１）（図６参照）に登録されている簡易認証正規情報とに基づき簡易認証が（再び）行われる。そして、再び行われた簡易認証においても、許容ユーザ（ユーザＵ１，Ｕ３）のうちのユーザＵ１に関して当該簡易認証に再び成功した旨が判定されると、印刷ジョブの実行が許可される（ステップＳ１４）。
【０１９３】
具体的には、外部端末５０から再送信されてきた簡易認証用情報に基づく簡易認証によって、許容ユーザのうちの一のユーザ（たとえばユーザＵ１）が特定される。そして、前回の簡易認証（ステップＳ１２）において印刷ジョブの依頼元ユーザであると判定されたユーザ（ユーザＵ１）と、今回の（再度行われた）簡易認証によって特定されたユーザとが同じユーザであるか否か、が判定される。換言すれば、ＮＦＣを介した認証情報の授受を伴う認証（ここでは簡易認証）によって特定されたユーザが、前回の簡易認証において当該依頼元ユーザとして特定されたユーザ（ユーザＵ１）と同じユーザであるか否か、が判定される。前回の簡易認証において印刷ジョブの依頼元ユーザとして特定されたユーザ（ユーザＵ１）と、再び行われた簡易認証によって特定されたユーザとが同じユーザである旨が判定されると、印刷ジョブの実行が許可される。なお、当該再び行われた簡易認証に失敗した場合、当該印刷ジョブの実行は許可されない（ステップＳ１６）。
【０１９４】
ここにおいて、たとえば、ユーザＵ１が、ＭＦＰ１０にログインしている状態で自身の外部端末５０を用いて印刷ジョブの実行を付与した後、当該印刷ジョブの実行が開始される前に、ＭＦＰ１０からログアウトせずにＭＦＰ１０の前から離れてしまうことが考えられる。第４実施形態においてこのような状況が生じた場合、ユーザＵ１がＭＦＰ１０の近傍に存在していないにもかかわらず、当該ユーザＵ１によって付与された印刷ジョブが実行され、当該印刷ジョブに係る印刷物がユーザＵ１以外の他人に見られてしまう恐れがある。
【０１９５】
これに対して、第４実施形態の第２の変形例によれば、近距離無線通信（ＮＦＣ）を介した認証情報の授受を伴う認証がさらに行われ、当該認証によって特定されたユーザが、印刷ジョブの依頼元ユーザであると判定されたユーザと同じユーザである旨が判定されることをも条件として、印刷ジョブの実行が許可される。端的に言えば、印刷ジョブの実行指示を付与した依頼元ユーザ（ユーザＵ１）がＭＦＰ１０の近傍に実際に存在していることが近距離無線通信の利用によって確認されると、当該印刷ジョブの実行が許可される。したがって、印刷ジョブの実行指示を付与したユーザ以外の他人に、当該印刷ジョブに係る印刷物が見られてしまうことを回避することが可能である。
【０１９６】
なお、上記第４実施形態の第２の変形例では、近距離無線通信として近接場型無線通信（ＮＦＣ）を例示したが、これに限定されず、たとえば、近距離無線通信としてＢＬＥ通信が用いられてもよい。
【０１９７】
具体的には、近距離無線通信としてＢＬＥ通信が用いられる場合、ＭＦＰ１０の近傍領域内にまで外部端末５０がＭＦＰ１０に近接している旨が検出されると、ＭＦＰ１０と外部端末５０との間でＢＬＥ通信が確立する。具体的には、ＭＦＰ１０を基点とする一定の範囲（たとえば１メートル程度の範囲）を有する近傍領域内にまで外部端末５０がＭＦＰ１０に近接している旨が検出されると、当該ＢＬＥ通信が確立する。当該ＢＬＥ通信が確立すると、再送信依頼がＭＦＰ１０から外部端末５０へとＢＬＥ通信を介して送信され、当該再送信依頼に応じて簡易認証用情報が外部端末５０からＭＦＰ１０へとＢＬＥ通信を介して返信される。なお、簡易認証用情報がＢＬＥ通信を介して受信された後のＭＦＰ１０の動作は、上記第４実施形態の第２の変形例と同様にして行われる。
【０１９８】
また、上記第４実施形態の第２の変形例等では、近距離無線通信が確立すると、簡易認証用情報をＭＦＰ１０に再送信すべき旨を依頼する再送信依頼がＭＦＰ１０から外部端末５０に送信される態様を例示したが、これに限定されない。たとえば、近距離無線通信が確立すると、高度認証用情報をＭＦＰ１０に返信すべき旨を依頼する返信依頼がＭＦＰ１０から外部端末５０に送信されるようにしてもよい。そして、ＭＦＰ１０において、当該返信依頼に応じて外部端末５０から返信されてきた高度認証用情報を用いて高度認証が行われるようにしてもよい。
【符号の説明】
【０１９９】
１  印刷システム
１０  ＭＦＰ（印刷出力装置）
５０  外部端末
８０  認証サーバ
３００〜３０２  高度認証情報管理テーブル
４００〜４０４  簡易認証情報管理テーブル
【図１】
2016157334.tif 000003
【図２】
2016157334.tif 000004
【図３】
2016157334.tif 000005
【図４】
2016157334.tif 000006
【図５】
2016157334.tif 000007
【図６】
2016157334.tif 000008
【図７】
2016157334.tif 000009
【図８】
2016157334.tif 000010
【図９】
2016157334.tif 000011
【図１０】
2016157334.tif 000012
【図１１】
2016157334.tif 000013
【図１２】
2016157334.tif 000014
【図１３】
2016157334.tif 000015
【図１４】
2016157334.tif 000016
【図１５】
2016157334.tif 000017
【図１６】
2016157334.tif 000018
【図１７】
2016157334.tif 000019
【図１８】
2016157334.tif 000020
【図１９】
2016157334.tif 000021
【図２０】
2016157334.tif 000022
【図２１】
2016157334.tif 000023